(57)【要約】【課題】  ＭＴＣデバイスのグループをページングし、ページング・メカニズムを使用してＭＴＣデバイスにパラメータ情報を送信するための方法を提供する。【解決手段】  ＭＴＣデバイスは一緒にグループ化され、ＭＴＣデバイスが属するグループごとに異なるグループＩＤがＭＴＣデバイスに割り当てられる。それぞれのグループについて特定のグループ・ページング・リソース指示が決定され、それぞれのＭＴＣデバイスにはグループ・ページング・リソース指示のうちの１つが割り当てられる。ネットワークは、対応するチャネル・リソースで対応するグループＩＤを含むページング・メッセージを送信することにより、グループのＭＴＣデバイスをページングする。更に、いくつかのグループのＭＴＣデバイスのグループ・ページング・リソース指示は、異なるグループがそれぞれページング・メッセージの送信及び再送信を受信するようにネットワークによる送信及び再送信に合わせて調整することができる。【選択図】図１９
2013524563.tif 000002
【特許請求の範囲】
【請求項１】
ネットワーク内の少なくとも１つの無線制御エンティティ（ｅＮＢ）に接続した第１のグループのデバイスをページングするための方法であって、グループ・ページング・ターゲットＩＤ及びグループ・ページング・リソース指示が前記第１のグループのすべてのデバイスに割り当てられ、前記方法が、
前記グループ・ページング・ターゲットＩＤ及び前記グループ・ページング・リソース指示を含む第１のページング・メッセージを前記ネットワーク内のエンティティから前記少なくとも１つの無線制御エンティティに送信するステップと、
前記少なくとも１つの無線制御エンティティが、前記受信したグループ・ページング・リソース指示に基づいて無線チャネル上の送信リソースを計算するステップと、
前記少なくとも１つの無線制御エンティティが、前記無線チャネルの前記計算された送信リソースで、前記グループ・ページング・ターゲットＩＤを含む第２のページング・メッセージを送信するステップと、
前記第１のグループの前記デバイスが、前記無線チャネルの前記計算された送信リソースで前記第２のページング・メッセージを受信するステップとを、
有する方法。
【請求項２】
前記少なくとも１つの無線制御エンティティに接続した第２のグループのデバイスがページングされ、
前記グループ・ページング・ターゲットＩＤを前記第２のグループの前記デバイスに割り当てるステップと、
前記第１のグループのデバイスのために送信された前記第２のページング・メッセージの再送信が前記第２のグループの前記デバイスによって受信されるように決定される第２のグループ・ページング・リソース指示を、ページング・メッセージを受信するための前記無線チャネル・リソースを計算するために前記第２のグループの前記デバイスによって使用される前記第２のグループの前記デバイスに割り当てるステップとを、
有する請求項１に記載の方法。
【請求項３】
前記無線制御エンティティが、サイクル・パラメータであって、前記第１のグループのデバイスの前記グループ・ページング・リソース指示と前記第２のグループのデバイスの前記第２のグループ・ページング・リソース指示との差に相当する前記サイクル・パラメータに基づいて前記第２のページング・メッセージの再送信を実行する請求項２に記載の方法。
【請求項４】
前記第２のグループの前記デバイスがページング・メッセージを受信するための前記無線チャネル・リソースを計算するために、前記無線制御エンティティによって使用される前記サイクル・パラメータの量の２倍である第２のサイクル・パラメータを使用する請求項３に記載の方法。
【請求項５】
前記少なくとも１つの無線制御エンティティに接続した少なくとも第２及び第３のグループのデバイスがページングされ、
第２のグループ・ページング・ターゲットＩＤを前記第１のグループ、第２のグループ、及び第３のグループの前記デバイスに割り当てるステップと、
前記第１のグループのデバイスのために送信された前記第２のページング・メッセージの再送信が前記第２のグループの前記デバイスによって受信されるように決定される第２のグループ・ページング・リソース指示を、ページング・メッセージを受信するための前記無線チャネル・リソースを計算するために前記第２のグループの前記デバイスによって使用される前記第２のグループの前記デバイスに割り当てるステップと、
前記第１のグループのデバイスのために送信された前記第２のページング・メッセージの２回目の再送信が前記第３のグループの前記デバイスによって受信されるように決定される第３のグループ・ページング・リソース指示を、ページング・メッセージを受信するための前記無線チャネル・リソースを計算するために前記第３のグループの前記デバイスによって使用される前記第３のグループの前記デバイスに割り当てるステップとを有し、
前記第３のグループ・ページング・リソース指示が、前記第２のグループ・ページング・リソース指示が前記グループ・ページング・リソース指示と異なるのと同じ量だけ前記第２のグループ・ページング・リソース指示と異なっており、
前記第１、第２、及び第３のグループの前記デバイスが、ページング・メッセージを受信するための前記無線チャネル・リソースを計算するために、前記無線制御エンティティによって使用される前記サイクル・パラメータの量の３倍である第２のサイクル・パラメータを使用する請求項１に記載の方法。
【請求項６】
前記グループ・ページング・ターゲットＩＤが前記第１のグループの前記デバイスに関するグループ国際移動加入ＩＤの一部であり、前記グループ国際移動加入ＩＤが前記第１のグループの前記デバイスに固有のパラメータを更に含み、前記パラメータが、好ましくは、前記第１のグループの前記デバイスに関する前記ネットワークへのアクセス制限を示す請求項１から５のいずれか１つに記載の方法。
【請求項７】
前記グループ国際移動加入ＩＤ内の前記パラメータが、前記ネットワークに接続するよう前記第１のグループの前記デバイスに指示するページング・メッセージを受信した後に前記第１のグループの前記デバイスが前記ネットワークへの前記接続を延期しなければならない時間を示す請求項６に記載の方法。
【請求項８】
前記第１のグループの前記デバイスが、前記グループ・ページング・ターゲットＩＤ内に含まれる前記グループＩＤに基づいて、前記第２のページング・メッセージが前記第１のグループのデバイス向けであるかどうかを判断するステップと、
前記第１のグループの前記デバイスが、前記グループ国際移動加入ＩＤ内に含まれる前記パラメータに基づいて、前記グループ・ページング・ターゲットＩＤ内に含まれる前記パラメータを採用すべきかどうか又はアイドル状態から接続状態に遷移すべきかどうかを判断するステップとを、
更に有する請求項７に記載の方法。
【請求項９】
異なる国際移動加入者ＩＤがそれぞれのデバイスに割り当てられ、
前記第１のグループのそれぞれのデバイスが、前記第１のグループの前記グループ・ページング・リソース指示に基づいて及び／又は前記国際移動加入者ＩＤに基づいて、ページング・メッセージを受信するための無線チャネル・リソースを計算するステップを有する請求項１から８のいずれか１つに記載の方法。
【請求項１０】
１つのデバイスが２つの異なるグループ・ページング・ターゲットＩＤによって識別される少なくとも２つの異なるデバイスのグループに属し、前記デバイスには前記２つの異なるグループ・ページング・ターゲットＩＤのうちの１つが割り当てられる請求項１から９のいずれか１つに記載の方法。
【請求項１１】
ネットワーク内の少なくとも１つの無線制御エンティティに接続した第１のグループのデバイスをページングするための前記ネットワーク内のページング・エンティティであって、グループ・ページング・ターゲットＩＤ及びグループ・ページング・リソース指示が前記ページング・エンティティによって前記第１のグループのすべてのデバイスに割り当てられ、前記ページング・エンティティが、
グループ・ページング・ターゲットＩＤ及びグループ・ページング・リソース指示を前記第１のグループのすべてのデバイスに割り当てるための手段と、
前記グループ・ページング・ターゲットＩＤ及び前記グループ・ページング・リソース指示を含む第１のページング・メッセージを前記少なくとも１つの無線制御エンティティに送信するように適合された送信機とを備え、
前記グループ・ページング・リソース指示は、前記第１のグループの前記デバイスによって受信される第２のページング・メッセージを無線チャネル上で送信するための前記無線チャネル上の送信リソースを計算するために前記無線制御エンティティによって使用されるページング・エンティティ。
【請求項１２】
前記割り当て手段が、前記第１のグループ、第２のグループ、及び第３のグループのデバイスに第２のグループ・ページング・ターゲットＩＤを割り当てるように更に適合され、
前記割り当て手段が、前記第２のグループの前記デバイスに第２のグループ・ページング・リソース指示を割り当てるように更に適合され、前記第２のグループ・ページング・リソース指示は、ページング・メッセージを受信するための前記無線チャネル・リソースを計算するために前記第２のグループの前記デバイスによって使用され、
プロセッサが、前記第１のグループの前記デバイスのために送信された前記第２のページング・メッセージの再送信が前記第２のグループの前記デバイスによって受信されるように、前記第２のグループ・ページング・リソース指示を決定するように適合され、
前記割り当て手段が、前記第３のグループの前記デバイスに第３のグループ・ページング・リソース指示を割り当てるように更に適合され、前記第３のグループ・ページング・リソース指示は、ページング・メッセージを受信するための前記無線チャネル・リソースを計算するために前記第３のグループの前記デバイスによって使用され、
前記プロセッサが、前記第１のグループのデバイスのために送信された前記第２のページング・メッセージの２回目の再送信が前記第３のグループの前記デバイスによって受信されるように、前記第３のグループ・ページング・リソース指示を決定するように更に適合され、
前記第３のグループ・ページング・リソース指示は、前記第２のグループ・ページング・リソース指示が前記グループ・ページング・リソース指示と異なるのと同じ量だけ前記第２のグループ・ページング・リソース指示と異なっている請求項１１に記載のページング・エンティティ。
【請求項１３】
ネットワーク内の少なくとも１つの無線制御エンティティに接続した第１のグループのデバイスに属し、前記ネットワーク内のエンティティによってページングされるデバイスであって、グループ・ページング・ターゲットＩＤ及びグループ・ページング・リソース指示が前記第１のグループのすべてのデバイスに割り当てられ、前記デバイスが、
前記ネットワーク内の前記エンティティから前記グループ・ページング・ターゲットＩＤ及び前記グループ・ページング・リソース指示の前記割り当てを受信するように適合された受信機と、
前記割り当てられたグループ・ページング・リソース指示に基づいて、前記無線制御エンティティがページング・メッセージを送信する前記無線チャネルのリソースを計算するように適合されたプロセッサとを備え、
前記受信機が、前記無線チャネルの前記計算されたリソースで前記無線制御エンティティから前記ページング・メッセージを受信するように更に適合され、前記ページング・メッセージが前記グループ・ページング・ターゲットＩＤを含み、
前記プロセッサが、前記受信したグループ・ページング・ターゲットＩＤを前記割り当てられたグループ・ページング・ターゲットＩＤと突き合わせて、前記ページング・メッセージが前記第１のグループ向けであるかどうかを判断するデバイス。
【請求項１４】
前記グループ・ページング・ターゲットＩＤが前記第１のグループの前記デバイスに関するグループ国際移動加入ＩＤの一部であり、前記グループ国際移動加入ＩＤが前記第１のグループの前記デバイスに固有のパラメータを更に含み、前記無線制御エンティティから前記デバイスによって受信された前記ページング・メッセージが前記グループ国際移動加入ＩＤを含み、前記プロセッサが、前記グループ国際移動加入ＩＤ内にコード化された前記パラメータを抽出するように更に適合された請求項１３に記載のデバイス。
【請求項１５】
前記プロセッサが、前記グループ国際移動加入ＩＤ内に含まれる前記パラメータに基づいて、前記グループ国際移動加入ＩＤ内に含まれる前記パラメータを採用すべきかどうか又はアイドル状態から接続状態に遷移すべきかどうかを判断するように更に適合された請求項１４に記載のデバイス。
【請求項１６】
複数のデバイスとネットワークとの接続の確立を制御するための方法であって、前記デバイスが、それぞれ、前記デバイスによる前記ネットワークへの接続の前記確立がトリガされる条件に基づいて、前記複数のグループに分割される前記方法であって、
前記ネットワークへの接続の前記確立を構成するために、前記ネットワーク内のエンティティから前記複数のグループのうちの第１のグループのデバイスに構成情報を送信するステップと、
前記第１のグループのそれぞれのデバイスが、前記受信した構成情報に基づいて、前記第１のグループのそれぞれのデバイスについて同じではない特定の遅延時間を決定するステップと、
前記第１のグループの前記条件が前記ネットワークへの前記接続の前記確立をトリガすると、前記第１のグループのそれぞれのデバイスが前記決定された遅延時間だけ前記ネットワークへの前記接続の前記確立を遅延させるステップとを、
有する方法。
【請求項１７】
前記第１のグループのそれぞれのデバイスの前記遅延時間が、前記第１のグループのそれぞれのデバイスのＩＤパラメータなど、前記第１のグループのそれぞれのデバイスに固有の特定のパラメータに更に基づいて決定される請求項１６に記載の方法。
【請求項１８】
前記構成情報が継続期間パラメータ（Ｄ）及び許可デバイス・パラメータ（Ａ）を含み、前記第１のグループのそれぞれのデバイスが、
遅延時間＝（（前記デバイスに固有の特定のパラメータ）ｍｏｄ  （Ｄ））／（Ａ）
という式によりそれ自身の遅延時間を決定する請求項１７に記載の方法。
【請求項１９】
前記グループが異なるグループＩＤによって識別され、
前記ネットワークのエンティティが、特定のデバイスについて、前記特定のデバイスが属する前記グループを決定するステップと、
前記決定されたグループを識別する前記グループＩＤを前記特定のデバイスに送信するステップとを更に有する請求項１６から１８のいずれか１つに記載の方法。
【請求項２０】
前記第１のグループが異なるエリアにおいて異なるグループＩＤによって識別され、あるエリアから前記ネットワークが位置する特定のエリア内に移動するデバイスには、前記ネットワークが位置する前記特定のエリア内の前記第１のグループの前記グループＩＤが割り当てられる請求項１９に記載の方法。
【請求項２１】
前記構成情報が、直接ダウンリンク・データとして、或いはマルチキャスト又はブロードキャスト・メカニズムを使用して、或いはブロードキャストされたシステム情報を使用して前記ネットワーク内の無線制御エンティティを介して、或いはページング・メカニズムを使用して、前記第１のグループのそれぞれのデバイスに送信される請求項１６から２０のいずれか１つに記載の方法。
【請求項２２】
前記構成情報が、前記第１のグループのすべてのデバイスに関するページング・レコード内のパラメータとして前記第１のグループの前記デバイスに送信される請求項２１に記載の方法。
【請求項２３】
前記ページング・レコード内の前記パラメータが、前記第１のグループのすべてのデバイスに関する疑似国際移動加入者ＩＤ（ＩＭＳＩ）であり、前記第１のグループの前記グループＩＤが前記ＩＭＳＩ内にコード化される請求項２２に記載の方法。
【請求項２４】
ネットワークへの接続を確立する複数のデバイスのうちの１つのデバイスであって、前記複数のデバイスが、それぞれ、前記デバイスによる前記ネットワークへの接続の前記確立がトリガされる条件に基づいて、複数のグループに分割され、前記デバイスが前記複数のグループのうちの第１のグループに属し、
前記ネットワークのエンティティから、前記ネットワークへの接続の前記確立を構成するための構成情報を受信するように適合された受信機と、
前記受信した構成情報に基づいて、前記第１のグループのそれぞれのデバイスについて同じではない特定の遅延時間を決定するように適合されたプロセッサとを備え、
前記第１のグループの前記条件が前記ネットワークへの前記接続の前記確立をトリガすると、前記プロセッサが、前記決定された遅延時間だけ前記ネットワークへの前記接続の前記確立を遅延させるように更に適合されたデバイス。
【請求項２５】
前記プロセッサが、前記デバイスに固有の特定のパラメータに基づいて前記遅延時間を決定する請求項２４に記載のデバイス。
【請求項２６】
前記複数のグループが異なるグループＩＤによって識別され、前記受信機が前記ネットワークのエンティティからグループＩＤを受信するように適合され、前記デバイスが前記ネットワークへの接続を確立する前記条件により前記デバイスがどのグループに属するかを決定し、
前記グループＩＤが前記構成情報とともに送信される請求項２４又は２５に記載のデバイス。
【請求項２７】
前記受信機が、直接ダウンリンク・データとして、或いはマルチキャスト又はブロードキャスト・メカニズムを使用して、或いはブロードキャストされたシステム情報を使用して、或いはページング・メカニズムを使用して、前記構成情報を受信するように適合される請求項２４から２６のいずれか１つに記載のデバイス。
【請求項２８】
複数のデバイスが接続を確立するネットワーク内のエンティティであって、前記デバイスが、それぞれ、前記デバイスによる前記ネットワークへの接続の確立がトリガされる条件に基づいて、複数のグループに分割され、前記エンティティが、
前記複数のグループのうちの第１のグループのそれぞれのデバイスが構成情報に基づいて特定の遅延時間を決定できるように、前記構成情報を決定するように適合されたプロセッサと、
前記第１のグループのデバイスに構成情報を送信するように適合された送信機とを、
有し、
前記決定された遅延時間は前記第１のグループのそれぞれのデバイスについて同じではなく、前記遅延時間が前記決定された遅延時間だけ前記ネットワークへの前記接続の前記確立を遅延させるために前記第１のグループのそれぞれのデバイスによって使用されるエンティティ。
【請求項２９】
前記構成情報が最大遅延時間を含み、前記プロセッサが、前記第１のグループ内のデバイスの数及び／又は前記ネットワーク内の負荷に関する情報に基づいて、前記最大遅延時間を決定するように適合される請求項２８に記載のエンティティ。
【請求項３０】
前記送信機が、直接ダウンリンク・データとして、或いはマルチキャスト又はブロードキャスト・メカニズムを使用して、或いはブロードキャストされたシステム情報を使用して、或いはページング・メカニズムを使用して、前記第１のグループの前記デバイスに前記構成情報を送信するように適合される請求項２８又は２９に記載のエンティティ。
【発明の詳細な説明】
【技術分野】
【０００１】
本発明は、グループ・ページング・ターゲットＩＤ（group paging target identity）及び個別のグループ・ページング・リソース指示（group paging resource indication）を使用して複数デバイスのグループをページングするための方法に関する。更に、本発明は、本発明に関与するＭＴＣデバイスなどのデバイス並びにネットワーク・エンティティ（network entity）に関する。
【背景技術】
【０００２】
ＵＭＴＳ（ユニバーサル移動通信システム）は、３ＧＰＰ（第３世代パートナーシップ・プロジェクト）によって標準化された３Ｇ（第３世代）移動通信システムである。
【０００３】
ＬＴＥ−ロング・ターム・エボリューション
ユーザ需要の更なる増加に備えるために並びに新しい無線アクセス技術への競争のために、３ＧＰＰは、「ロング・ターム・エボリューション（ＬＴＥ）」としてよく知られている検討項目「次世代ＵＴＲＡ及びＵＴＲＡＮ」を立ち上げた。この検討では、サービス提供を改善し、ユーザ及び事業者のコストを削減するために、性能において大幅な向上を達成する方法を調査する。それにより、他の無線アクセス技術との相互作用が可能でなければならないなので、新しい進化型パケット・コア・ネットワークの必要性が生じた。
【０００４】
進化型システム・アーキテクチャの代表的な表現が図１に示されている。Ｅ−ＵＴＲＡＮは、進化型ノードＢ（ｅＮＢ又はｅＮｏｄｅＢ）で構成され、Ｅ−ＵＴＲＡユーザ・プレーン（ＰＤＣＰ／ＲＬＣ／ＭＡＣ／ＰＨＹ）及び制御プレーン（ＲＲＣ）のプロトコルの終端をモバイル・ノード（ＵＥ又はＭＮとも表示される）に提供する。
【０００５】
ｅＮＢは、ユーザプレーン・ヘッダ圧縮及び暗号化の機能を含む、物理（ＰＨＹ）層、媒体アクセス制御（ＭＡＣ）層、無線リンク制御（ＲＬＣ）層、及びパケット・データ制御プロトコル（ＰＤＣＰ）層を含んでいる。また、ｅＮＢは、制御プレーンに対応する無線リソース制御（ＲＲＣ）機能も提供する。更に、ｅＮＢは、無線リソース管理、許可制御、スケジューリング、ネゴシエートされたＵＬ−ＱｏＳ（サービス品質）の実施、セル情報ブロードキャスト、ユーザ及び制御プレーン・データの暗号化／暗号解読、及びＤＬ／ＵＬユーザ・プレーン・パケット・ヘッダの圧縮／圧縮解凍を含む、多くの機能を実行する。また、ｅＮＢは、Ｓ１インターフェースによりＥＰＣ（進化型パケット・コア）にも接続され、より具体的には、Ｓｉ−ＭＭＥによりＭＭＥ（モビリティ（移動）管理エンティティ）に接続され、Ｓ１−Ｕによりサービング・ゲートウェイ（Ｓ−ＧＷ）に接続される。
【０００６】
ｅＮＢ間ハンドオーバ中にユーザ・プレーン用のモビリティ・アンカとして並びにＬＴＥとその他の３ＧＰＰ技術との間のモビリティ用のアンカとしても動作しながら（Ｓ４インターフェースを終了させ、２Ｇ／３Ｇシステムとパケット・データ・ネットワーク・ゲートウェイとの間のトラフィックを中継しながら）、Ｓ−ＧＷはユーザ・データ・パケットを経路指定して転送する。アイドル状態のＵＥに対して、そのＵＥのためのＤＬデータが到着した時に、Ｓ−ＧＷはＤＬデータ経路を終了させ、ページングをトリガする。Ｓ−ＧＷは、ＵＥコンテキスト、例えば、ＩＰベアラ・サービスのパラメータ、ネットワーク内部経路指定情報を管理して記憶する。また、Ｓ−ＧＷは、合法的な傍受の場合にユーザ・トラフィックの反復も実行する。
【０００７】
ＭＭＥはＬＴＥアクセス・ネットワークのための重要な制御ノードである。ＭＭＥは、アイドル・モードＵＥの追跡並びに再送信を含むページング手順を担当する。ＭＭＥは、ベアラ活性化／非活性化プロセスに関与しており、初期接続時及びコア・ネットワーク（ＣＮ）ノード再配置を伴うＬＴＥ内ハンドオーバ時にＵＥのためにＳ−ＧＷの選択も担当する。また、ＭＭＥは、（ホーム加入者サーバ、ＨＳＳと交信することにより）ユーザを認証する責任がある。ＭＭＥは、ＵＥがサービス・プロバイダの公衆地上モバイル・ネットワーク（ＰＬＭＮ）をキャンプオンする許可をチェックし、ＵＥローミング制限を施行する。ＭＭＥは、ＮＡＳ信号方式に関する暗号化／完全性保護のためのネットワーク内の端点であり、セキュリティ・キー管理を処理する。また、ＭＭＥは、ＬＴＥと２Ｇ／３Ｇアクセス・ネットワークとの間のモビリティに関する制御プレーン機能も提供し、Ｓ３インターフェースはＳＧＳＮ（サービングＧＰＲＳサポート・ノード）からＭＭＥで終端する。また、ＭＭＥは、各ＵＥをローミングするためのホームＨＳＳに向かうＳ６ａインターフェースの終端でもある。
【０００８】
パケット・データ・ネットワーク・ゲートウェイ（ＰＤＮ−ＧＷ）は、ＵＥに関するトラフィックの出口点及び入口点になることにより、外部パケット・データ・ネットワークへのＵＥのための接続性を提供する。ＵＥは、複数のＰＤＮにアクセスするために２つ以上のＰＤＮ−ＧＷとの同時接続を有してもよい。ＰＤＮ−ＧＷは、ポリシー施行、ユーザごとのパケット・フィルタリング、課金サポート、合法的な傍受、及びパケット・スクリーニングを実行する。ＰＤＮ−ＧＷのもう１つの重要な役割は、３ＧＰＰ技術と非３ＧＰＰ技術との間のモビリティ用のアンカとして動作することである。
【０００９】
上記を要約すると、新しいＥ−ＵＴＲＡＮアクセスをサポートするために、新しい３ＧＰＰコア・ネットワークは主に３つの論理エンティティに分離される。第１に、ユーザ・プレーンでは、ＰＤＮ−ＧＷは、外部ネットワークへのゲートウェイであり、３ＧＰＰアクセス技術と非３ＧＰＰアクセス技術（ＣＤＭＡ２０００、ＷｉＭＡＸ、又はＷｉＦｉなど）との間のモビリティ用のグローバル・モビリティ・アンカである。第２に、もう１つのユーザ・プレーン・エンティティであるサービング・ゲートウェイは、３ＧＰＰアクセス（Ｅ−ＵＴＲＡＮ、ＵＴＲＡＮ、ＧＥＲＡＮ）間のモビリティ用のモビリティ・アンカである。第３に、モビリティ管理エンティティは、異なるＥＵＴＲＡＮ基地局（ｅＮｏｄｅＢ）間を移動するモバイル端末（以下ではＵＥ又はＭＮともいう）のモビリティ管理を担当し、セッション管理も担当する制御プレーン・エンティティである。
【００１０】
上記の通り、ＭＭＥはモビリティ管理及びセッション管理を担当する。ＭＭＥに接続したモバイル端末ごとに、特定のモビリティ管理及び進化型パケット・システム・コンテキスト情報がＭＭＥに記憶される。これらのコンテキストは、例えば、モビリティ状態、一時的ＩＤ、現行のトラッキング・エリア・リスト、最後の既知セル、認証ベクトル、アクセス制限、加入済ＱｏＳプロファイル、加入済課金特性、並びに、アクティブＰＤＮ接続ごとの使用中のＡＰＮ（アクセス・ポイント名）、ＩＰｖ４／ＩＰｖ６アドレス、制御プレーン用のＰＤＮ−ＧＷアドレス、更に、例えばＥＰＳベアラＱｏＳプロファイルであるＥＰＳベアラ課金特性として、ＰＤＮ接続内の各ＥＰＳ（進化型パケット・システム）ベアラに関する情報も含む。
【００１１】
３ＧＰＰシステム内のモビリティ管理はネットワーク制御であり、ＰＤＮ−ＧＷとＳ−ＧＷとの間のインターフェースのために２つのプロトコル変種が標準化されている。一方は、レガシーＧＰＲＳ（汎用パケット無線サービス）システムで使用されるプロトコルであるＧＴＰ（ＧＰＲＳトンネリング・プロトコル）に基づくものであり、もう一方は、ＩＥＴＦ（インターネット・エンジニアリング・タスク・フォース）において開発されたプロキシ・モバイルＩＰｖ６（ＰＭＩＰｖ６）である。非３ＧＰＰアクセスと相互作用するために、モバイル端末は、非３ＧＰＰアクセスがＰＭＩＰｖ６をサポートしている場合、ＰＭＩＰｖ６も介して、コア・ネットワーク、即ち、ＰＤＮ−ＧＷに接続することができる。代わって、モバイル端末がＰＭＩＰｖ６とのインターアクセス・ハンドオーバをサポートしていない場合又は非３ＧＰＰアクセスがＰＭＩＰｖ６をサポートしていない場合、モバイル端末は、クライアント・モバイルＩＰバージョン、即ち、モバイルＩＰｖ４フォーリン・エージェント・モード（ＭＩＰ４ＦＡ）又はデュアル・スタック・モバイルＩＰｖ６（ＤＳＭＩＰｖ６）を介して、コア・ネットワークに接続することができる。
【００１２】
マシンツーマシン
現行のモバイル・ネットワークは、人間対人間の通信用に最適に設計されているが、３ＧＰＰによりＭＴＣ（マシン・タイプ・コミュニケーション）とも呼ばれるＭ２Ｍ（マシン２マシン）アプリケーションにはあまり最適ではない。
【００１３】
Ｍ２Ｍコミュニケーションは、必ずしも人間の対話を必要としないエンティティ間のデータ通信の一形式と見なすことができる。これは、以下のものを伴うので、現行の通信モデルとは異なっている。
・新しいか又は異なるマーケット・シナリオ
・コスト及び労力の低減
・潜在的に大多数の通信端末
・端末あたりのトラフィックが非常に少ない
【００１４】
いくつかのＭＴＣアプリケーションとしては、例えば、以下のものがある。
・セキュリティ（例えば、アラーム・システム、陸上通信線用のバックアップ、アクセス制御、自動車／運転手のセキュリティ）
・トラッキング及びトレーシング（例えば、フリート管理、注文管理、運転時支払、有料道路、トラフィック情報）
・支払（店頭販売、自動販売機、ロイヤルティの概念、ゲームマシン）
・健康（生命徴候のモニター、遠隔診断、ウェブ・アクセス遠隔医療ポイント）
・遠隔保守／制御（センサ、照明、ポンプ、バルブ、エレベータ制御）
・計量（例えば、電力、ガス、水道、暖房、格子制御）
【００１５】
Ｍ２Ｍコミュニケーションに関する検討項目（３ＧＰＰ  ＴＲ２２．８６８）は２００７年に完了したが、その後の規範的仕様書は全く発行されていない。Ｒｅｌ−１０以上については、３ＧＰＰは、仕様書フェーズに検討項目からネットワーク改良に関する結果を取り入れて、ＭＴＣのシナリオ及びアプリケーションをサポートするためにアーキテクチャ上の影響及びセキュリティ面に対処する予定である。このため、３ＧＰＰは、マシン・タイプ・コミュニケーションのためのネットワーク改良（ＮＩＭＴＣ）に関する作業項目を定義した。この作業項目には以下の目標及び目的が記載されている。
−マシン・タイプ・コミュニケーション・サービスを提供する時により低い運転コストをネットワーク事業者に提供する。
−大規模マシン・タイプ・コミュニケーション・グループを処理する際の影響及び労力を低減する。
−デバイスのバッテリ電力使用量に及ぼす影響を最小限にするようにネットワーク運用を最適化する。
−マシン・タイプ・コミュニケーション要件に応じて調整したサービスを事業者が提供できるようにすることにより、新しいマシン・タイプ・コミュニケーション・アプリケーションを促進する。
【００１６】
アプリケーションの種類次第で、あるエリアに非常に多数のＭＴＣデバイス、例えば、市街地のスマート・メータを配備することができる。この場合、すべてのＭＴＣデバイスが偶然、同時にネットワークへの接続を確立し、その結果、ネットワーク内に信号送出（シグナリング）ピーク及び輻輳を引き起こす可能性がある。これは、例えば、以下のような場合である。
−ＭＴＣアプリケーション及び／又はＭＴＣサーバで動作不良が発生している。
−外部イベント（停電の終了）がＭＴＣデバイスをトリガしてアタッチ／接続させる。
−反復性のアプリケーションが正確な時間（半時間／四分の一時間）に同期している。
【００１７】
接続確立要求の数が大きくなりすぎる場合、ＳＧＳＮ／ＭＭＥは接続確立要求のうちの一部を拒否することができる。しかし、輻輳はコア・ネットワークでのみ解決され、無線アクセス・ネットワークでは解決されない。従って、多くのＭＴＣデバイスが同じセル内にあって、信号送出ピークを引き起こしている場合、無線アクセスにも輻輳が存在する。加えて、一度に大量の同時送信／同時接続が行われたので、コア・ネットワーク・エンティティがすでに過負荷になっている可能性がある。従って、ＳＧＳＮ／ＭＭＥによる拒否は遅すぎる場合もある。
【００１８】
図２は、時間の経過につれてネットワークに接続するＭＴＣデバイスの数を示している。図示の通り、ピーク・イベントはＭＴＣデバイスの接続確立をトリガし、それにより急速にシステムの輻輳が発生する。
【００１９】
従来技術では、ネットワーク内の信号送出輻輳又は過負荷を低減又は防止するために、以下のように３通りの解決策が存在する。
−  ＳＧＳＮ／ＭＭＥによる接続要求の拒否：  この解決策は、ＭＴＣデバイスから送信されたＮＡＳ信号送出要求（接続要求又はＴＡＵ要求又はサービス要求）の拒否に基づくものである。ＳＧＳＮ／ＭＭＥは、特定のＡＰＮに接続したか又は特定のＭＴＣグループに属するＭＴＣデバイスに関する信号送出要求を拒否すると決定することができる。更に、それ以前の要求に対する拒否の直後にＭＴＣデバイスが接続要求又はアタッチ要求を再起動するのを回避するために、ＳＧＳＮ／ＭＭＥは、拒否メッセージでＭＴＣデバイスにバックオフ時間（back-off time）を提供することができる。この手法に関する問題は以下の通りである。
−ＮＡＳ信号送出要求をＳＧＳＮ／ＭＭＥに送信するためにＭＴＣデバイスがＲＲＣ接続を確立し続けるので、コア・ネットワーク（ＳＧＳＮ／ＭＭＥ及びＧＧＳＭ／ＰＧＷ）内の輻輳のみが解決され、無線アクセスでは解決されない。
−この場合も一度に大量の同時送信／同時接続によりコア・ネットワーク・エンティティが過負荷になる可能性があり、その結果、拒否が機能できず、すでに遅すぎる。
−  ＲＡＮによる接続要求の拒否：  ＭＴＣデバイスがＲＲＣ接続要求メッセージで「低優先度指示（low-priority indication）」を送信できることが提案されている。即ち、ＮＢ／ｅＮＢがコア・ネットワーク（ＣＮ）又はＲＡＮネットワーク内の輻輳状況に気付いている場合に、ＮＢ／ｅＮＢはＭＴＣデバイスによる低優先度信号送出要求を拒否するように構成することができる。更に、ｅＮＢは、ＵＥの低優先度についてＭＭＥに（Ｓ１−ＡＰを介して）通知することができ、その結果、ＳＧＳＮ／ＭＭＥは、コア・ネットワークで輻輳が発生している場合に、ＭＴＣデバイスからのＮＡＳ信号送出要求を拒否すると決定することもできる。更に、ｅＮＢは、信号送出を再起動できる時期をＭＴＣデバイスに通知するために、拡張されたバックオフ・タイマを提供することができる。この手法に関する問題は以下の通りである。
−ＭＴＣデバイスはすでにＲＲＣ接続要求を送信するためにＲＡＣＨチャネルを求めて競合しており、即ち、ＭＴＣはすでにコンテンションベースのプリアンブルを使用している。
−  ＳＩＢ２内のベアリング情報（baring information）を含むＭＴＣデバイスに関するアクセスのベアリング：  アクセス・クラス・ベアリング（ＡＣＢ）機能はすでに３ＧＰＰの前のリリースに指定されている。ＡＣＢは、特定のアクセス・クラスに属するＵＥに適用することができる。この解決策は、１）すべてのＭＴＣデバイス、２）特定のＭＴＣグループ、３）ＡＰＮごと、４）ＰＬＭＮごとになるように、ベアリングの細分性を拡張する。この手法に関する問題は以下の通りである。
−ベアリングは低速プロセスである（最悪の場合、最大システム情報変更期間のために〜２０秒を要する可能性がある）。
−ＰＬＭＮサービスエリア全体におけるベアリングは望ましくない。
【００２０】
ページング
ＵＥがＩＤＬＥ状態であり、ｅＮＢセルにキャンプオンする場合、ページング情報を読み取れるようにするために、ＵＥはセルと同期している。ページングは、ＵＥがＩＤＬＥ状態で留まっている、複数のセル内でＵＥを探すための一般的な手順である。ＵＥがページング・メッセージ／信号を受信すると、ＵＥはＩＤＬＥ状態からＣＯＮＮＥＣＴＥＤ状態に遷移（transfer）し、ＵＥがＩＤＬＥモードでキャンプされているｅＮＢとのＲＲＣ接続を確立する。
【００２１】
ＭＭＥは、ＵＥのＰ／ＳＧＷによって、パケットを配信しなければならないことを通知される。ＭＭＥは、ＵＥが（定期的ＴＡＵ手順を除く）トラッキング・エリア更新（ＴＡＵ）手順なしに移動できる、いわゆるトラッキング・エリアの一部にある、すべてのｅＮＢにページング・メッセージ（ＰＭ）を送信する。ＭＭＥからｅＮＢへのＰＭは、特に、以下の情報を含む。
−  ＵＥ＿ＩＤ索引値：  ＵＥ＿ＩＤとして知られ、（ＩＭＳＩ  ｍｏｄ  １０２４）によって計算されるもの。これに対応して、ＵＥ＿ＩＤは［０，１．．．１０２３］という範囲内の値をとることができる。
−  ＵＥページングＩＤ：  接続手順中にＵＥに割り当てられたＩＭＳＩ（ＳＩＭカードに記憶された通り）又はＳＡＥ一時移動加入者ＩＤ（Ｓ−ＴＭＳＩ）にすることができる。ＵＥページングＩＤは、無線インターフェース（即ち、Ｕｕインターフェース）によりページング・メッセージ（ＰＭ）でｅＮＢからＵＥに送信される。
−  ページングＤＲＸサイクル：  （ＮＡＳ信号方式を使用して）ＵＥ内に構成された不連続受信（ＤＲＸ）サイクル又はシステム情報ブロック（ＳＩＢ）でブロードキャストされたデフォルトＤＲＸサイクルである。デフォルトＤＲＸサイクルは、Ｒａｄｉｏ  Ｒｅｓｏｕｒｃｅ  Ｃｏｎｆｉｇ  Ｃｏｍｍｏｎ  ＳＩＢ内のページング・サイクルとしても知られている。ＵＥは、電力消費量を削減するためにＩＤＬＥモードでの不連続受信を使用してもよい。ＤＲＸサイクルは、特定のＵＥに関するモニタリングするページング発生（Paging Occurrence）間の時間間隔である。ＳＩＢでブロードキャストされたデフォルトＤＲＸ／ページング・サイクルの値は、３２、６４、１２８、又は２５６個の無線フレームである。
【００２２】
ＭＭＥからのＰＭによってトリガされると、ｅＮＢは定義されたページング発生において無線インターフェースにより他のＰＭをブロードキャストする。ｅＮＢ及びＵＥにおけるページング発生の計算は、同じページング発生においてページング・メッセージを送信／聴取するように調整される。ページング発生は、どの無線フレーム（ページング・フレーム、ＰＦという）及びどのサブフレーム（ページング・オケージョン（paging occasion））でページング・メッセージが送信されるかを意味する。ページング・フレーム番号（ＰＦ＃）は以下の式により計算される。
【数１】
2013524563.tif 000003
ここで、「Ｔ」はＤＲＸサイクルであり、「ｎＢ」はＳＩＢパラメータである。
【００２３】
ＬＴＥでは１つの無線フレーム内に１０個のサブフレームがあるので、ページング・オケージョンは［０，１，．．．９］という範囲内の値を有する。ページング・オケージョン番号（以下ではｉ＿ｓでも示される）は以下の式により計算される。
【数２】
2013524563.tif 000004
【００２４】
ＵＥがページング・メッセージを読み取るようにトリガされ、ページング・メッセージがそのＵＥのＩＤ（ＵＥページングＩＤはＵＥのＩＭＳＩである）を含む場合、ＵＥは、データが配信されるのを待っていることを通知され、ＵＥはＩＤＬＥ状態からＣＯＮＮＥＣＴＥＤ状態に遷移し、即ち、ＵＥはＲＲＣ接続確立手順を開始する。
【００２５】
この説明全体を通して「ＰＯ」という略語がページング発生又はページング・オケージョンとして使用されることに留意されたい。ページング・オケージョンは、ページング・フレーム内の［０，１．．．９］という範囲内の番号を有するサブフレームを指す。ページング発生は、ページング・フレーム及びページング・オケージョンに関する一般的な用語であり、ページング・メッセージについてＵＥによってモニター（監視）されるＰＤＣＣＨ（物理ダウンリンク制御チャネル）内のリソースの位置を指す。
【００２６】
ＵＥは、ＰＤＳＣＨ（物理ダウンリンク共用チャネル）で送信されるページング・メッセージ内のページングＩＤとしてＵＥのＩＭＳＩ（又はＳ−ＴＭＳＩ）を使用することによってページングされる。従って、ＵＥごとに、ＭＭＥからｅＮＢ（複数も可）に個別のページング・メッセージを送信しなければならず、次にそのメッセージを対応するｅＮＢ（複数も可）からブロードキャストしなければならない。異なるＵＥに関する着信トラフィック（例えば、音声呼び出し又はＳＭＳ）は別々に到着し、同期されず、その結果、ネットワークは個々のＵＥも別々にページングするので、これは妥当なことである。
【００２７】
しかし、ＭＴＣデバイスは、通常のＵＥとは異なるトラフィック・パターン及びアプリケーションを有する。従って、ネットワークがＭＴＣデバイスのグループを同時にトリガすることを希望することが有利であるとすることは現実的なシナリオである。多数のＭＴＣデバイスが配備され、ほぼ同時にページングされるというシナリオでは、多数のページング・メッセージがコア・ネットワーク内で無線インターフェースにより送信されるので、これは大量のトラフィックを引き起こすことになるであろう。ｅＮＢによって無線インターフェースにより送信されるそれぞれのページング・メッセージが複数回、例えば、３回、再送信されるということが事態を悪化させ、その結果、更に多くのトラフィックを発生し、重要な無線リソースを浪費している。
【発明の概要】
【発明が解決しようとする課題】
【００２８】
従って、上記技術における上記の問題を考慮して、本発明の一目的は、ページングによりわずかなトラフィックのみを発生させるため、ネットワーク内の多数のデバイスをページングするための改良された方法を提供することにある。
【課題を解決するための手段】
【００２９】
本発明の一態様によれば、ＭＴＣデバイス（又はＵＥ）に関してグループ・ページング・メカニズムが導入される。従来技術では、ＵＥは個別にしかも別々にページングされ、それにより、多数のＵＥをほぼ同時にページングすることが非常にリソースを要するものになっている。多数のＭＴＣデバイスが特定のエリア内に配備され、ほぼ同時にページングする必要があるか又はアクセス制限パラメータに関して構成しなければならないことは現実的なことである。また、ＭＴＣデバイスの重要な特徴の１つは、それらが保守及び管理のためにグループ化できるのに対して、ＵＥは通常、グループ化されないことである。
【００３０】
ＭＴＣデバイスのグループは、同じＭＴＣ機構、ＡＰＮ、サーバ、加入者に属すること、又は同じ送信トリガ・メカニズムを有することなどの任意の種類の基準に基づいて形成することができる。特定のＭＴＣデバイスはいくつかのグループに属してもよい。それぞれのグループごとに対応する１つのグループＩＤが生成され、それぞれのＭＴＣデバイスには、それが属するグループのグループＩＤが割り当てられる。ＭＴＣデバイスは、特定のページング発生で、即ち、特定のページング・フレーム及びサブフレームで、ページング・チャネルを聴取する。それぞれのグループごとに特定のグループ・ページング・リソース指示が定義され、それによりＭＴＣデバイス及び無線制御エンティティは、ページング・メッセージが送信されるチャネル・リソースを計算することができる。ＭＴＣデバイスは、それが属する１つのグループのみのグループ・ページング・リソース指示によって割り当てられる。換言すれば、特定のＭＴＣデバイスがグループ１、２、３、及び４に属する場合、例えば、グループ４というグループ・ページング・リソース指示がそのＭＴＣデバイスに割り当てられる。
【００３１】
特定のグループのＭＴＣデバイスをページングするために、ネットワークは、前記グループを構成するすべてのＭＴＣデバイスを分析し、前記グループのすべてのＭＴＣデバイスに到達及びページングするために、いくつのページング・メッセージが送信されるかを推測する。ページング・メッセージの数は、そのグループのＭＴＣデバイスが聴取するページング発生の数によって決まる。ネットワークは、ページングすべきＭＴＣグループ内のＭＴＣデバイスによって使用されるページング発生ごとに１つのページング・メッセージを生成する。これに対応して、それぞれのページング・メッセージは異なるグループ・ページング・リソース指示を含むが、同じグループＩＤを含むことになる。次にページング・メッセージは、ネットワーク内のページング・エンティティから、ＭＴＣデバイスが接続される無線制御エンティティ（複数も可）に送信される。
【００３２】
無線制御エンティティは、ＭＭＥからページング・メッセージで受信したグループ・ページング・リソース指示に基づいて計算されたチャネル・リソースで、受信したページング・メッセージごとに無線インターフェースにより他のページング・メッセージをブロードキャストする。従って、特定のグループに属するすべてのＭＴＣデバイスは、ページング・メッセージでそれ自体のグループＩＤを確認し、ページング・メッセージがそのデバイスにアドレス指定されていることをそれから推測する。より少ないページング・メッセージが使用され、従って、コア・ネットワーク内で無線インターフェースによるリソースが節約される。ＭＴＣデバイスの大規模グループがページングされる時に、このリソース節約は特に重要である。
【００３３】
上記の目的のうちの少なくとも１つは独立請求項の主題によって解決される。本発明の有利な各実施形態は従属請求項の主題である。
【００３４】
更に、接続のピークが回避されるように複数のデバイスとネットワークとの間の接続の確立を制御するための方法を有することは有利になるであろう。
【００３５】
本発明の一実施形態は、ネットワーク内の少なくとも１つの無線制御エンティティ（ｅＮＢ）に接続した第１のグループのデバイスをページングするための方法を提供する。グループ・ページング・ターゲットＩＤ（グループ疑似ＩＤ）及びグループ・ページング・リソース指示（ＧｒＭＴＣ＿ＩＤ）が前記第１のグループのすべてのデバイスに割り当てられる。ネットワーク内のエンティティ（ＭＭＥ）はグループ・ページング・ターゲットＩＤ及びグループ・ページング・リソース指示を含む第１のページング・メッセージを少なくとも１つの無線制御エンティティに送信する。少なくとも１つの無線制御エンティティが、受信したグループ・ページング・リソース指示に基づいて無線チャネル上の送信リソースを計算する。少なくとも１つの無線制御エンティティが、無線チャネルの計算された送信リソースで、グループ・ページング・ターゲットＩＤを含む第２のページング・メッセージを送信する。第１のグループのデバイスが、無線チャネルの計算された送信リソースで第２のページング・メッセージを受信する。
【００３６】
本発明の有利な一実施形態により、少なくとも１つの無線制御エンティティに接続した第２のグループのデバイスがページングされる。グループ・ページング・ターゲットＩＤは第２のグループのデバイスに割り当てられる。第２のグループ・ページング・リソース指示は、ページング・メッセージを受信するための無線チャネル・リソースを計算するために第２のグループのデバイスによって使用される第２のグループのデバイスに割り当てられる。第２のグループ・ページング・リソース指示は、第１のグループのデバイスのために送信された第２のページング・メッセージの再送信が第２のグループのデバイスによって受信されるように決定される。
【００３７】
本発明の他の一実施形態では、無線制御エンティティは、サイクル・パラメータに基づいて、第２のページング・メッセージの再送信を実行する。サイクル・パラメータは、第１のグループのデバイスのグループ・ページング・リソース指示と第２のグループのデバイスの第２のグループ・ページング・リソース指示との差に相当する。
【００３８】
本発明の他の実施形態の場合、第２のグループのデバイスは、ページング・メッセージを受信するための無線チャネル・リソースを計算するために第２のサイクル・パラメータを使用する。第２のサイクル・パラメータは、無線制御エンティティによって使用されるサイクル・パラメータの量の２倍である。
【００３９】
本発明の他の実施形態により、少なくとも１つの無線制御エンティティに接続した少なくとも第２及び第３のグループのデバイスがページングされる。第２のグループ・ページング・ターゲットＩＤは、第１のグループ、第２のグループ、及び第３のグループのデバイスに割り当てられる。第２のグループ・ページング・リソース指示は、ページング・メッセージを受信するための無線チャネル・リソースを計算するために第２のグループのデバイスによって使用される第２のグループのデバイスに割り当てられる。第２のグループ・ページング・リソース指示は、第１のグループのデバイスについて送信された第２のページング・メッセージの再送信が第２のグループのデバイスによって受信されるように決定される。第３のグループ・ページング・リソース指示は、ページング・メッセージを受信するための無線チャネル・リソースを計算するために第３のグループのデバイスによって使用される第３のグループのデバイスに割り当てられる。第３のグループ・ページング・リソース指示は、第１のグループのデバイスについて送信された第２のページング・メッセージの再送信が第３のグループのデバイスによって受信されるように決定される。第３のグループ・ページング・リソース指示は、第２のグループ・ページング・リソース指示がグループ・ページング・リソース指示と異なるのと同じ量だけ第２のグループ・ページング・リソース指示と異なっている。第１、第２、及び第３のグループのデバイスは、ページング・メッセージを受信するための無線チャネル・リソースを計算するために第２のサイクル・パラメータを使用する。第２のサイクル・パラメータは、無線制御エンティティによって使用されるサイクル・パラメータの量の３倍である。
【００４０】
本発明の他の実施形態は、グループ・ページング・ターゲットＩＤが第１のグループのデバイスに関するグループ国際移動加入ＩＤ（疑似ＩＭＳＩ）の一部である場合に関する。グループ国際移動加入ＩＤは、第１のグループのデバイスに固有のパラメータを更に含む。このパラメータは、好ましくは、第１のグループのデバイスに関するネットワークへのアクセス制限を示す。
【００４１】
本発明の他の一実施形態では、グループ国際移動加入ＩＤ内のパラメータは、ネットワークに接続するよう第１のグループのデバイスに指示するページング・メッセージを受信した後に第１のグループのデバイスがネットワークへの接続を延期しなければならない時間を示す。
【００４２】
有利な一実施形態により、第１のグループのデバイスは、グループ・ページング・ターゲットＩＤ内に含まれるグループＩＤに基づいて、第２のページング・メッセージが第１のグループのデバイス向けであるかどうかを判断する。第１のグループのデバイスは、グループ国際移動加入ＩＤ内に含まれるパラメータに基づいて、グループ・ページング・ターゲットＩＤ内に含まれるパラメータを採用すべきかどうか又はアイドル状態から接続状態に遷移すべきかどうかを判断する。
【００４３】
本発明の他の実施形態では、ネットワーク内のエンティティは、ネットワークへの第１のグループのデバイスの接続手順中にグループ・ページング・ターゲットＩＤ及びグループ・ページング・リソース指示を第１のグループのデバイスに割り当てる。第１のグループのデバイスがネットワークからデタッチする（切り離される）と、ネットワーク内のエンティティ及びデバイスは、記憶されたグループ・ページング・ターゲットＩＤ及びグループ・ページング・リソース指示を維持する。
【００４４】
本発明の他の一実施形態において、ネットワークからデタッチされた第１のグループのデバイスは、記憶されたグループ・ページング・リソース指示に基づいて計算された無線チャネルのリソースで、少なくとも１つの無線制御エンティティによって送信されたページング・メッセージを聴取する。ページング・メッセージは、第１のグループに関するグループ・ページング・ターゲットＩＤを含む。
【００４５】
本発明の有利な一実施形態によれば、第１のグループのデバイスがネットワークからデタッチされると、ネットワーク内のエンティティ及び第１のグループのデバイスは、グループ・ページング・ターゲットＩＤ及び事前定義のページング・リソース指示を記憶する。ネットワークからデタッチされた第１のグループのデバイスは、無線チャネルの事前定義のページング・リソースで、少なくとも１つの無線制御エンティティによって送信されたページング・メッセージを聴取し、そのページング・メッセージは第１のグループに関するグループ・ページング・ターゲットＩＤを含む。
【００４６】
本発明の他の実施形態では、第１のグループのデタッチされたデバイスは、第１のグループのデバイスへのページング・メッセージについて、そのリソースで無線チャネルをモニターする。
【００４７】
本発明の異なる一実施形態の場合、異なる国際移動加入者ＩＤがそれぞれのデバイスに割り当てられる。第１のグループのそれぞれのデバイスは、第１のグループのグループ・ページング・リソース指示に基づいて及び／又は国際移動加入者ＩＤに基づいて、ページング・メッセージを受信するための無線チャネル・リソースを計算する。
【００４８】
本発明の他の実施形態を参照すると、第２のページング・メッセージは、デバイス１つをページングする時には前記デバイスの国際移動加入者ＩＤを含み、又は第１のグループのすべてのデバイスをページングする時にはグループ・ページング・ターゲットＩＤを含む。
【００４９】
本発明の異なる一実施形態は、１つのデバイスが２つの異なるグループ・ページング・ターゲットＩＤによって識別される少なくとも２つの異なるデバイスのグループに属することを伴い、このデバイスには２つの異なるグループ・ページング・ターゲットＩＤのうちの１つが割り当てられる。
【００５０】
また、本発明の一実施形態は、ネットワーク内の少なくとも１つの無線制御エンティティに接続した第１のグループのデバイスをページングするためのネットワーク内のページング・エンティティも提供する。グループ・ページング・ターゲットＩＤ及びグループ・ページング・リソース指示はページング・エンティティによって第１のグループのすべてのデバイスに割り当てられる。ページング・エンティティは、グループ・ページング・ターゲットＩＤ及びグループ・ページング・リソース指示を第１のグループのすべてのデバイスに割り当てるための手段を含む。ページング・エンティティの送信機は第１のページング・メッセージを少なくとも１つの無線制御エンティティに送信し、第１のページング・メッセージはグループ・ページング・ターゲットＩＤ及びグループ・ページング・リソース指示を含む。グループ・ページング・リソース指示は、第１のグループのデバイスによって受信される第２のページング・メッセージを無線チャネル上で送信するための無線チャネル上の送信リソースを計算するために無線制御エンティティによって使用される。
【００５１】
本発明の他の実施形態では、ページング・エンティティの割り当て手段は、第１のグループ、第２のグループ、及び第３のグループのデバイスに第２のグループ・ページング・ターゲットＩＤを更に割り当てる。また、割り当て手段は第２のグループのデバイスに第２のグループ・ページング・リソース指示も割り当て、第２のグループ・ページング・リソース指示は、ページング・メッセージを受信するための無線チャネル・リソースを計算するために第２のグループのデバイスによって使用される。ページング・エンティティのプロセッサは、第１のグループのデバイスについて送信された第２のページング・メッセージの再送信が第２のグループのデバイスによって受信されるように、第２のグループ・ページング・リソース指示を決定する。割り当て手段は第３のグループのデバイスに第３のグループ・ページング・リソース指示を割り当て、第３のグループ・ページング・リソース指示は、ページング・メッセージを受信するための無線チャネル・リソースを計算するために第３のグループのデバイスによって使用される。プロセッサは、第１のグループのデバイスについて送信された第２のページング・メッセージの再送信が第３のグループのデバイスによって受信されるように、第３のグループ・ページング・リソース指示を決定する。第３のグループ・ページング・リソース指示は、第２のグループ・ページング・リソース指示がグループ・ページング・リソース指示と異なるのと同じ量だけ第２のグループ・ページング・リソース指示と異なっている。
【００５２】
本発明の他の一実施形態によれば、第１、第２、及び第３のグループのデバイスは、ページング・メッセージを受信するための無線チャネル・リソースを計算するために第２のサイクル・パラメータを使用する。第２のサイクル・パラメータは、第２のページング・メッセージをブロードキャストするための無線チャネル・リソースを計算するために無線制御エンティティによって使用されるサイクル・パラメータの量の３倍である。割り当て手段は、第１、第２、及び第３のグループのデバイスに第２のサイクル・パラメータを割り当てる。送信機は、無線制御エンティティによって使用されるサイクル・パラメータを含むページング・メッセージを少なくとも１つの無線制御エンティティに送信する。
【００５３】
本発明の他の一実施形態では、第１のグループのデバイスがネットワークからデタッチされると、ページング・エンティティは、記憶されたグループ・ページング・ターゲットＩＤ及びグループ・ページング・リソース指示を維持する。
【００５４】
本発明の一実施形態は、ネットワーク内の少なくとも１つの無線制御エンティティに接続した第１のグループのデバイスに属し、ネットワーク内のエンティティによってページングされるデバイスを更に提供する。グループ・ページング・ターゲットＩＤ及びグループ・ページング・リソース指示は第１のグループのすべてのデバイスに割り当てられる。デバイスの受信機は、ネットワーク内のエンティティからグループ・ページング・ターゲットＩＤ及びグループ・ページング・リソース指示の割り当てを受信する。デバイスのプロセッサは、割り当てられたグループ・ページング・リソース指示に基づいて、無線制御エンティティがページング・メッセージを送信する無線チャネルのリソースを計算する。受信機は、無線チャネルの計算されたリソースで無線制御エンティティからページング・メッセージを受信し、ページング・メッセージはグループ・ページング・ターゲットＩＤを含む。プロセッサは、受信したグループ・ページング・ターゲットＩＤを割り当てられたグループ・ページング・ターゲットＩＤと突き合わせて、ページング・メッセージが第１のグループ向けであるかどうかを判断する。
【００５５】
本発明の他の一実施形態に関しては、グループ・ページング・ターゲットＩＤは、第１のグループのデバイスに関するグループ国際移動加入ＩＤの一部である。グループ国際移動加入ＩＤは、第１のグループのデバイスに固有のパラメータを更に含む。無線制御エンティティからデバイスによって受信されたページング・メッセージはグループ国際移動加入ＩＤを含む。プロセッサは、グループ国際移動加入ＩＤ内にコード化されたパラメータを抽出する。
【００５６】
本発明の他の実施形態により、プロセッサは、グループ国際移動加入ＩＤ内に含まれるパラメータに基づいて、グループ国際移動加入ＩＤ内に含まれるパラメータを採用すべきかどうか又はアイドル状態から接続状態に遷移すべきかどうかを判断する。
【００５７】
本発明の他の一実施形態では、デバイスがネットワークからデタッチされると、デバイスは、記憶されたグループ・ページング・ターゲットＩＤ及びグループ・ページング・リソース指示を維持する。
【００５８】
本発明の有利な一実施形態において、ネットワークからデタッチされたデバイスは、記憶されたグループ・ページング・リソース指示に基づいて計算された無線チャネルのリソースで、少なくとも１つの無線制御エンティティによって送信されたページング・メッセージを聴取する。ページング・メッセージは、第１のグループに関するグループ・ページング・ターゲットＩＤを含む。
【００５９】
本発明の他の実施形態では、デバイスがネットワークからデタッチされると、デバイスは、グループ・ページング・ターゲットＩＤ及び事前定義のページング・リソース指示を記憶する。デバイスがネットワークからデタッチされると、プロセッサは事前定義のページング・リソース指示に基づいて無線チャネル・リソースを計算し、受信機は計算された無線チャネル・リソースで、少なくとも１つの無線制御エンティティによって送信されたページング・メッセージを聴取する。一態様によれば、特定の時間に繰り返し又は停電後など特定の条件が満たされた時に、デバイスは、通常、ネットワークに接続する。事実上、前記デバイスのすべてが同時にネットワークに接続しようと試みるので、これにより、前記デバイスによる接続のピークが発生することになる。このピークを回避するために、トリガ後のある期間について、ネットワークへのデバイスの接続が分散される。換言すれば、デバイスは、特定の同じ時間にネットワークに接続するのではなく、所定の期間中に接続する。
【００６０】
より詳細には、特定のネットワーク内のすべてのデバイスは、ネットワークへのそれぞれの接続をトリガするトリガ・イベントによって、異なるグループに分割される。従って、１つのグループ内のすべてのデバイスは、同じ条件によって同時にトリガされ、そのため回避すべき接続確立ピークを引き起こすことになるであろう。それぞれのグループは、そのデバイス及びネットワークの１つのエンティティの両方に知られているグループＩＤ（group identifier）によって識別される。
【００６１】
接続ピークを回避するために、それぞれのデバイスは特定の期間だけその接続試行を遅延させ、その遅延はそれぞれのデバイス又はほとんどのデバイスについて都合良く異なるものではければならない。従って、すべてのデバイスは同時にネットワークに接続するようにトリガされるが、それぞれのデバイス又はほとんどのデバイスは実際には前記トリガ後の異なる時間にネットワークに接続する。当然、計算された遅延時間は、輻輳及び接続ピークが回避される限り、デバイスのうちのいくつかについては同じにすることができる。
【００６２】
それぞれのデバイスは、それ自身の遅延時間を計算し、前記計算された遅延時間だけ接続試行を遅延させる。それぞれのデバイスが遅延時間を計算できるようにするために、ネットワーク内のエンティティからデバイス（複数も可）に構成情報が送信されてもよい。
【００６３】
時間の経過につれてネットワークへのデバイスの接続が分散されるかどうか並びにどのように分散されるかは、ネットワーク内のデバイスの数、ネットワーク内のその他のモバイル・ノード、又はネットワーク内の現行負荷などの様々な要因によって決まる。これらの要因を決定できるネットワークのエンティティがデバイス（複数も可）に必要な情報を送信してもよく、次にそのデバイスが前記受信した情報に基づいてそれぞれの接続遅延を決定し、その接続遅延は接続トリガが発生すると直ちに導入される。すでに前述した通り、遅延時間はそれぞれデバイス及びすべてのデバイスについて異なる必要はなく、例えば、５台のデバイスごとに同じ遅延時間を有し、同時に接続することができる。従って、どのくらいの時間の間、デバイスを遅延させるかも、ネットワーク管理者による構成によって決まる。
【００６４】
遅延時間を計算する１つの方法としては、トリガ・イベント後にデバイス接続が分散される最大遅延時間をネットワークのエンティティが決定することである。この最大遅延時間は、例えば、デバイスの数、ネットワーク内で現在使用可能なリソース、及び／又は衝突確率しきい値によって決めてもよい。前記最大遅延時間はデバイスに送信され、デバイスは、０より大きく、最大遅延時間より小さい遅延時間をランダムに選択する。特定の遅延時間をランダムに選択する代わりに、もう１つの方法としては、デバイスのそれぞれによる遅延時間の計算が、それぞれのデバイスについて固有のパラメータに基づくものであり、それぞれのデバイスが前記固有のパラメータに応じて異なる遅延時間を計算するようになっているものである。
【００６５】
代わって、最大遅延時間をデバイスに送信する代わりに、ネットワークのエンティティは、デバイス自身が一般的な最大遅延時間とそれ自身の固有の遅延時間を計算できることを基礎に、情報をデバイスに送信してもよい。異なる言い方をすると、特定の遅延時間の計算は完全にデバイス内で実行することができ、その場合、デバイスは、グループ内のデバイス数及び／又は使用可能なリソースなど、前記計算に関連する情報についてのみ通知されることになる。
【００６６】
一般に、あるグループのデバイスは、トリガ・イベント発生時にネットワークへの接続を遅延させなければならないかどうか、並びに、ｙｅｓの場合にどのくらいの時間かを構成する必要がある。ネットワーク内の条件、ネットワーク内の接続ピーク及び輻輳の確率は時間の経過につれて変化するので、前記の点についてあるグループ内のデバイスの構成を連続的に更新することは有利である。例えば、グループ内のデバイスの数がしきい値未満に減少した場合、もはや上記のピーク回避方式の必要性はない。デバイスは、対応する情報をそれらに提供することにより、それに応じて構成される必要がある。或いは、任意の輻輳及び衝突が回避されることを確認するためにより長い時間であるグループ内のデバイスの接続試行を分散しなければならないように、ネットワーク内の他のモバイル・ノードとの衝突確率が増加する。
【００６７】
指示されたグループに属するデバイスのみが新しい構成パラメータを採用することを保証するために、グループＩＤとともに構成情報をネットワーク・エンティティからデバイスに送信する。
【００６８】
ネットワークからデバイスに構成情報を送信する方法については様々な方法がある。これは、部分的には、デバイスの接続状況、即ち、デバイスがネットワークに接続されてデータを交換しているかどうか、或いはデバイスがＩＤＬＥモードになっていて、即ち、ネットワークとデータを交換していないが、ページング・チャネルを聴取しているかどうか、或いはデータが交換されず、ページングも通常は不可能である、デタッチモードにデバイスがなっているかどうかによって決まる。
【００６９】
デバイスがすでにネットワークに接続され、構成情報が更新される場合、「通常の」ダウンリンク・データとして新しい構成情報をネットワークからデバイスに送信することは可能である。或いは、すべてのデバイスに構成情報をマルチキャストしてもよく、グループＩＤに応じてそのグループのデバイスのみが新しい構成情報を処理し採用する。また、構成情報は、システム情報の一部としてデバイスにブロードキャストしてもよい。
【００７０】
更に他の方法は、ネットワークのページング・メカニズムが使用され、構成情報が疑似国際移動加入者ＩＤ（ＩＭＳＩ）又は疑似ＳＡＥ一時移動加入者ＩＤ（ＴＭＳＩ）としてページング・レコードで送信されることである。前記の場合、疑似ＩＭＳＩ又はＳ−ＴＭＳＩはグループＩＤ及び実際の構成情報をコード化する。
【００７１】
ＩＤＬＥモードになっているデバイスはネットワークに接続されず、それからデータを受信しないので、通常のダウンリンク・データ内で新しい構成について通知を受けることができない。しかし、ＩＤＬＥモードのデバイスはページングすることができ、システム情報を受信することもできる。従って、デバイスの構成は、疑似ＩＭＳＩ又はＳ−ＴＭＳＩを介してデバイスにページングするか又はシステム情報内でブロードキャストしてもよい。
【００７２】
デタッチされたデバイスは、通常、ダウンリンク・データ、マルチキャスト・データ、ページング情報、又はシステム情報を受信しなくなり、従って、ネットワークへの接続の遅延確立について新しい構成情報で更新できないであろう。デタッチされたデバイスを更新するために、デタッチされたデバイスは少なくとも対応するページング・レコード及び含まれる疑似ＩＭＳＩ又はＴＭＳＩを識別するため、ページング・チャネルを聴取する必要がある。
【００７３】
一態様は、複数のデバイスとネットワークとの接続の確立を制御するための方法を提供する。デバイスは、それぞれ、デバイスによるネットワークへの接続の確立がトリガされる条件に基づいて、複数のグループに分割される。構成情報は、ネットワークへの接続の確立を構成するために、ネットワーク内のエンティティから複数のグループのうちの第１のグループのデバイスに送信される。第１のグループのそれぞれのデバイスは受信した構成情報に基づいて特定の遅延時間を決定し、決定された遅延時間は第１のグループのそれぞれのデバイスについて同じではない。第１のグループの条件がネットワークへの接続の確立をトリガすると、第１のグループのそれぞれのデバイスは決定された遅延時間だけネットワークへの接続の確立を遅延させる。
【００７４】
有利な一態様によれば、構成情報は最大遅延時間を含み、それぞれのデバイスは０と受信した最大遅延時間との間の遅延時間をランダムに選択する。
【００７５】
他の一態様では、第１のグループのそれぞれのデバイスの遅延時間は、第１のグループのそれぞれのデバイスに固有の特定のパラメータに更に基づいて決定される。このようなパラメータの一例は、第１のグループのそれぞれのデバイスのＩＤパラメータである。
【００７６】
追加の一態様の場合、構成情報は継続期間（Duration）パラメータ（Ｄ）及び許可デバイス（Allowed Devices）パラメータ（Ａ）を含み、第１のグループのそれぞれのデバイスは以下の式によりそれ自体の遅延時間を決定する。
遅延時間＝（（そのデバイスに固有の特定のパラメータ）ｍｏｄ  （Ｄ））／（Ａ）
【００７７】
他の態様に関しては、構成情報は衝突パラメータ及び第１のグループ内のデバイスの数を含み、第１のグループのそれぞれのデバイスは以下の式によりそれ自身の遅延時間を決定する。
遅延時間＝（最大遅延時間）／（第１のグループ内のデバイスの数）＊（（そのデバイスに固有の特定のパラメータ）ｍｏｄ（第１のグループ内のデバイスの数）
【００７８】
最大遅延時間は衝突パラメータに基づいてデバイスによって計算される。
【００７９】
他の一態様により、グループは異なるグループＩＤによって識別される。ネットワークのエンティティは、特定のデバイスについて、前記特定のデバイスが属するグループを決定する。次に、決定されたグループを識別するグループＩＤは前記特定のデバイスに送信される。
【００８０】
有利な一態様では、複数のグループは異なるグループＩＤによって識別され、それぞれのデバイスの加入情報は、前記デバイスが属するグループを識別するグループＩＤを含む。
【００８１】
異なる一態様において、構成情報は第１のグループのグループＩＤとともに送信され、第１のグループのデバイスのみが構成情報を処理することを保証する。
【００８２】
本発明の他の一態様を参照すると、第１のグループは異なるエリアにおいて異なるグループＩＤによって識別される。あるエリアからネットワークが位置する特定のエリア内に移動するデバイスには、ネットワークが位置する特定のエリア内の第１のグループのグループＩＤが割り当てられる。
【００８３】
より詳細な一態様によれば、ネットワークが位置する特定のエリア内に移動するデバイスに割り当てられたグループＩＤは、ページング・メカニズムを使用して前記デバイスに送信される。
【００８４】
一態様では、構成情報は、直接ダウンリンク・データとして、或いはマルチキャスト又はブロードキャスト・メカニズムを使用して、或いはブロードキャストされたシステム情報を使用してネットワーク内の無線制御エンティティを介して、或いはページング・メカニズムを使用して、第１のグループのそれぞれのデバイスに送信される。
【００８５】
他の一態様により、構成情報は、第１のグループのすべてのデバイスに関するページング・レコード内のパラメータとして第１のグループのデバイスに送信することができる。
【００８６】
他の態様では、ページング・レコード内のパラメータは、第１のグループのすべてのデバイスに関する疑似国際移動加入者ＩＤ（ＩＭＳＩ）であり、第１のグループのグループＩＤはＩＭＳＩ内にコード化される。
【００８７】
より詳細な一態様において、ネットワーク内のデバイスによって使用される国際移動加入者ＩＤ（ＩＭＳＩ）は、モバイル国別コード及びモバイル・ネットワーク・コードを含み、これらはネットワークを識別するために使用される。疑似ＩＭＳＩは、事前定義のモバイル国別コード及び／又は事前定義のモバイル・ネットワーク・コードを含み、これらはそれぞれ、ネットワークで使用されるＩＭＳＩのモバイル国別コード及びモバイル・ネットワーク・コードとは異なっている。従って、通常のＩＭＳＩと疑似ＩＭＳＩとの不一致（clash）又は混乱は回避される。
【００８８】
次に、有利な一態様を参照すると、デバイスは、特定の時間にネットワークの無線制御エンティティによってデバイスに対してページングされるページング・レコードについてページング指示を介して通知される。特定の時間は、ネットワーク内のエンティティによって設定されたページング・パラメータに基づいて無線制御エンティティによって計算される。ページング・パラメータはデバイスに送信され、デバイスがページングされる特定の時間の計算を可能にする。
【００８９】
他の一態様では、デバイスは、特定の時間にネットワークの無線制御エンティティによってデバイスに対してページングされるページング・レコードについてページング指示を介して通知される。特定の時間は、ページング・レコード内で送信されるパラメータに基づいて無線制御エンティティによって計算される。第２の構成情報を送信するためにその後のある時点で送信される第２のページング・レコード内の第２のパラメータは、無線制御エンティティがデバイスをページングする特定の時間が変化しないように計算される。
【００９０】
他の態様において、ページング・レコード内のパラメータは、第１のグループのすべてのデバイスに関する疑似システム・アーキテクチャ・エボリューション−一時移動加入者ＩＤ（Ｓ−ＴＭＳＩ）である。第１のグループのグループＩＤはＳ−ＴＭＳＩ内にコード化される。
【００９１】
本発明の一部又は全部の態様において、デバイスはマシンツーマシン・コミュニケーション用に最適化される。
【００９２】
他の一態様は、ネットワークへの接続を確立することを希望する複数のデバイスのうちの１つのデバイスを提供する。複数のデバイスは、それぞれ、デバイスによるネットワークへの接続の確立がトリガされる条件に基づいて、複数のグループに分割される。デバイスは複数のグループのうちの第１のグループに属する。デバイスの受信機は、ネットワークのエンティティから、ネットワークへの接続の確立を構成するための構成情報を受信する。デバイスのプロセッサは、受信した構成情報に基づいて特定の遅延時間を決定し、決定された遅延時間は第１のグループのそれぞれのデバイスについて同じではない。更に、第１のグループの条件がネットワークへの接続の確立をトリガすると、プロセッサは決定された遅延時間だけネットワークへの接続の確立を遅延させる。
【００９３】
他の態様によれば、構成情報は最大遅延時間を含み、デバイスは０と受信した最大遅延時間との間の遅延時間をランダムに選択する。
【００９４】
有利な一態様では、プロセッサは、そのデバイスに固有の特定のパラメータに基づいて遅延時間を決定する。
【００９５】
他の一態様の場合、複数のグループは異なるグループＩＤによって識別される。デバイスの受信機はネットワークのエンティティからグループＩＤを受信し、そのエンティティは、デバイスがネットワークへの接続を確立する条件によりそのデバイスがどのグループに属するかを決定する。グループＩＤは構成情報とともに送信される。
【００９６】
他の態様を参照すると、第１のグループは異なるエリアにおいて異なるグループＩＤによって識別される。その後、デバイスが現行エリアから異なるエリア内に移動する場合、デバイスが属するグループを識別するために前記異なるエリアで使用されるグループＩＤがデバイスに割り当てられる。
【００９７】
他の一態様では、前記異なるエリアで使用されるグループＩＤは、ページング・メカニズムを使用してデバイスに送信される。
【００９８】
異なる一態様により、受信機は、直接ダウンリンク・データとして、或いはマルチキャスト又はブロードキャスト・メカニズムを使用して、或いはブロードキャストされたシステム情報を使用して、或いはページング・メカニズムを使用して、構成情報を受信する。
【００９９】
他の態様において、受信機は、第１のグループのすべてのデバイスに関するページング・レコード内のパラメータとして、ページング・メカニズムを使用して構成情報を受信する。このパラメータは、疑似国際移動加入者ＩＤ（ＩＭＳＩ）又は疑似システム・アーキテクチャ・エボリューション−一時移動加入者ＩＤ（Ｓ−ＴＭＳＩ）であり、グループＩＤはＩＭＳＩ又はＳ−ＴＭＳＩ内にコード化される。
【０１００】
他の一態様は、複数のデバイスが接続を確立するネットワーク内のエンティティを提供する。デバイスは、それぞれ、デバイスによるネットワークへの接続の確立がトリガされる条件に基づいて、複数のグループに分割される。エンティティのプロセッサは、複数のグループのうちの第１のグループのそれぞれのデバイスが構成情報に基づいて特定の遅延時間を決定できるように、構成情報を決定する。決定された遅延時間は第１のグループのそれぞれのデバイスについて同じではなく、決定された遅延時間だけネットワークへの接続の確立を遅延させるために第１のグループのそれぞれのデバイスによって使用される。エンティティの送信機は第１のグループのデバイスに構成情報を送信する。
【０１０１】
有利な一態様により、構成情報は最大遅延時間を含む。エンティティのプロセッサは、第１のグループ内のデバイスの数及び／又はネットワーク内の負荷に関する情報に基づいて、最大遅延時間を決定する。
【０１０２】
他の態様では、エンティティのプロセッサは、前記特定のデバイスが属するグループを決定する。エンティティの送信機は、グループの決定時に、決定されたグループを識別するグループＩＤを前記特定のデバイスに更に送信する。
【０１０３】
異なる一態様において、エンティティの送信機は第１のグループのデバイスに構成情報とともにグループＩＤを送信する。
【０１０４】
他の態様は、直接ダウンリンク・データとして、或いはマルチキャスト又はブロードキャスト・メカニズムを使用して、或いはブロードキャストされたシステム情報を使用して、或いはページング・メカニズムを使用して、第１のグループのデバイスに構成情報を送信するエンティティの送信機を取り扱う。
【０１０５】
他の一態様では、複数のデバイスが接続を確立するネットワーク内の無線制御エンティティを提供する。デバイスは、それぞれ、デバイスによるネットワークへの接続の確立がトリガされる条件に基づいて、複数のグループに分割される。無線制御エンティティの受信機は、複数のグループのうちの第１のグループのそれぞれのデバイスが構成情報に基づいて特定の遅延時間を決定できるような構成情報をネットワークのエンティティから受信する。決定された遅延時間は第１のグループのそれぞれのデバイスについて同じではなく、決定された遅延時間だけネットワークへの接続の確立を遅延させるために第１のグループのそれぞれのデバイスによって使用される。無線制御エンティティの送信機はブロードキャストされたシステム情報を使用して第１のグループのデバイスに受信した構成情報を送信する。
【０１０６】
添付図面に関連して、本発明について以下により詳細に説明する。
【図面の簡単な説明】
【０１０７】
【図１】ＬＴＥシステムの高レベル・アーキテクチャを示す図である。
【図２】あるグループのすべてのＭＴＣデバイスの同時接続をトリガするトリガ・イベント時にいかなるピーク回避も適用されない場合の接続ピークを示す図である。
【図３】トリガ・イベントが、あるグループのすべてのＭＴＣデバイスの同時接続をトリガする場合のピーク回避の効果を示す、図２と同様の図である。
【図４】ピーク回避のための構成情報を受信するＭＴＣデバイスのページング手順のフローチャートである。
【図５】少数のＭＴＣデバイスがネットワーク内に配備され、ピーク回避メカニズムを必要としない、代表的なシナリオに関するネットワーク配備を示す図である。
【図６】ＭＴＣデバイスの数がしきい値以上に増加し、その結果、ピーク回避が適用され構成される、図５のシナリオのネットワーク配備を示す図である。
【図７】ＵＥの数が増加し、ネットワーク内の負荷を変化させ、ＭＴＣデバイスに関する構成更新を必要とする、図６のシナリオのネットワーク配備を示す図である。
【図８】本発明の一実施形態による疑似ＩＭＳＩの代表的なフォーマットを示す図である。
【図９】３台のＭＴＣデバイスがネットワークに接続し、ピーク回避メカニズムを使用するために構成されている、簡略シナリオの信号図（シグナリング図）である。
【図１０】本発明の一実施形態によりグループＩＤ及び任意選択でパラメータを含む、疑似ＩＭＳＩのフォーマットを示す図である。
【図１１】本発明の他の実施形態によりグループＩＤ及び任意選択でパラメータを含む、疑似Ｓ−ＴＭＳＩのフォーマットを示す図である。
【図１２】５台のＭＴＣデバイスとそのＭＴＣデバイスに割り当てられた異なるグループＩＤの概要を示し、更に本発明の一実施形態によりどのグループＩＤ又はＩＭＳＩが個別及びグループ・ページングに使用されるかを示す図である。
【図１３】５台のＭＴＣデバイスとそのＭＴＣデバイスに割り当てられた異なるグループＩＤの他の概要を示すが、本発明の他の実施形態により特定のＧｒＭＴＣ＿ＩＤをグループ・ページングに使用する場合を示す図である。
【図１４】すべて１つのアクセス・ポイントに接続した３つのｅＮＢに接続した様々なＭＴＣデバイスに関するネットワーク配備を示す図である。
【図１５】ｅＮＢによって実行された再送信がそれぞれＭＴＣグループのうちの１つによって受信されるように異なるグループに割り当てられたページング発生が決定される、本発明の他の実施形態を示す図である。
【図１６】ｅＮＢによって実行された再送信がそれぞれＭＴＣグループのうちの１つによって受信されるように異なるグループに割り当てられたページング発生が決定される、本発明の他の実施形態を示す図である。
【図１７】ｅＮＢによるページング・メッセージの初期送信及び３回の再送信を使用してページングされる４つのＭＴＣグループを考慮した、図１５及び図１６のうちの１つと同様の本発明の一実施形態を示す図である。
【図１８】ｅＮＢによるページング・メッセージの初期送信及び３回の再送信を使用してページングされる４つのＭＴＣグループを考慮した、図１５及び図１６のうちの１つと同様の本発明の一実施形態を示す図である。
【図１９】本発明の一実施形態によりＭＭＥがすべてのｅＮＢにページング・メッセージを送信して、同じＡＰＮに属するすべてのＭＴＣデバイスをページングするように、異なるｅＮＢに接続し、異なるサーバ・グループに属する、様々なＭＴＣデバイスに関するネットワーク配備を示す図である。
【発明を実施するための形態】
【０１０８】
定義
本明細書で頻繁に使用されるいくつかの用語の定義について以下に示す。
【０１０９】
モバイル・ノードは、通信ネットワーク内の物理エンティティである。１つのノードはいくつかの機能エンティティを有していてもよい。機能エンティティは、あるノード又はネットワークの他の機能エンティティに対し所定の１組の機能を実現及び／又は提供する、ソフトウェア又はハードウェア・モジュールを指す。ノードは、ノードが通信できる通信設備又は媒体にそのノードを接続する１つ又は複数のインターフェースを有してもよい。同様に、ネットワーク・エンティティは、他の機能エンティティ又は対応ノードと通信できる通信設備又は媒体にその機能エンティティを接続する論理インターフェースを有してもよい。
【０１１０】
ＭＴＣデバイスは、通信ネットワーク内の機能エンティティとして理解してもよく、モバイル・ノードと同じ場所に位置する場合もあれば、位置しない場合もある。ＭＴＣデバイスは、マシン・タイプ・コミュニケーションの要件に応じて適合又は最適化される。
【０１１１】
その一般的な意味におけるページングは、ＩＤＬＥ状態で留まっている、ある量のセル内でのモバイル端末（ＵＥ又はＭＴＣデバイス）を探すこととして理解してもよい。しかし、本発明の各実施形態は、構成パラメータなどの特定の情報をＵＥ／ＭＴＣデバイスに伝達するために使用されるという点で、ページング・メカニズムの新しい機能を導入している。
【０１１２】
本発明のいくつかの実施形態について以下に詳細に説明する。この説明は、本発明を制限するものとして理解するべきではなく、本発明の一般的な原理の一例として理解するべきである。当業者であれば、特許請求の範囲に述べられている本発明の一般的な原理が、本明細書に明示的に記載されていない方法で種々のシナリオに適用できることを認識しているはずである。
【０１１３】
ＭＴＣデバイスは、特定の機能のために特定のエリア内に配備され、特定の間隔で又はより一般的には送信の条件が適用される時に、例えば、アラーム機能が実装される場合に、データを送信する必要があるとしてもよい。いかなる送信も実行されない場合、ＭＴＣデバイスは、ネットワークに接続する必要がなく、ＩＤＬＥ又はＤＥＴＡＣＨＥＤモードになってもよい。ＭＴＣデバイスがアップリンク送信を実行するためには、アップリンク送信をスケジューリングする必要があり、通常、アップリンク送信タイミングを同期させる必要がある。
【０１１４】
前記の点について、ランダム・アクセス・チャネル（ＲＡＣＨ）は、同期していないＵＥ又はＭＴＣデバイスとＬＴＥアップリンク無線アクセスの直交送信方式との間のインターフェースとして重要な役割を果たす。ＲＡＣＨは、アップリンク同期を達成するためにＲＲＣ＿ＣＯＮＮＥＣＴＥＤ状態のＵＥ又はＭＴＣデバイスによって使用されるか、或いは新しいセルへのハンドオーバ中に又はＲＲＣ＿ＩＤＬＥ状態からＲＲＣ＿ＣＯＮＮＥＣＴＥＤ状態への遷移のために使用される。無線リンク障害の場合、接続モードのＭＴＣデバイスはアップリンク同期を緩和し、ＲＡＣＨへの接続によって同期する必要がある場合もある。
【０１１５】
ランダム・アクセス手順により、コンテンションベース及びコンテンションフリーのランダム・アクセスが可能になる。コンテンションベースのアクセスは前述のすべての場合に使用することができ、コンテンションフリーのアクセスはランダム・アクセスを必要とするＲＲＣ＿ＣＯＮＮＥＣＴＥＤ状態中のダウンリンク・データ到着の場合又は新しいセルへのハンドオーバの場合にｅＮＢによってトリガされ得る。コンテンションベースのランダム・アクセスの場合、プリアンブル・シグネチャがＵＥ又はＭＴＣデバイスによってランダムに選択されて、ＲＡＣＨ上で使用され、即ち、異なるＵＥ又はＭＴＣデバイスが同時に同じプリアンブル・シグネチャを使用する場合に衝突の可能性がある。これにより、その後のコンテンション解決プロセスの必要性が生じる。
【０１１６】
コンテンションフリーのランダム・アクセスの場合、専用のプリアンブル・シグネチャがｅＮＢによってＵＥ又はＭＴＣデバイスに割り振られ、衝突は不可能である。これはコンテンションベースのアクセスより高速であり、時間制約形の場合には重要になる。
【０１１７】
本発明の各実施形態を説明するために、複数のＭＴＣデバイスが狭いエリアに配備されるシナリオが想定され、そのＭＴＣデバイスは定期的間隔などの同じ条件によって送信を実行するようにトリガされる。ＭＴＣデバイスの数が極端に大きい場合及び／又はエリア内の他のＵＥのためにＭＴＣデバイスがデータを送信するネットワークの負荷が大きい場合、ＭＴＣデバイスが送信を実行するように同時にトリガされると、ＭＴＣデバイスによって接続ピークが発生する。より詳細には、ＭＴＣデバイスはＩＤＬＥ又はＤＥＴＡＣＨＥＤモードになっており、まずＲＡＣＨを介してアップリンクを同期させる必要があると想定される。従って、特定の時間にすべてのＭＴＣデバイスが同時にＲＡＣＨにアクセスし、その結果、ネットワーク内に輻輳が発生することになる。
【０１１８】
本発明の一実施形態によれば、特定のトリガ条件下でピークを発生する可能性のあるＭＴＣデバイスは、前記条件により異なるグループにカテゴリ化（分類化）される。この条件は、例えば、停電、定期的信号送出などである。従って、特定のグループ内のすべてのデバイスは同じイベントによってトリガされる。このカテゴリ化は、ＭＴＣデバイスの加入の一部にしてもよく、即ち、ＭＴＣデバイスごとに事前構成してもよい。或いは、ＭＭＥは、要求されたアクセス・ポイント名（ＡＰＮ）及び加入済ＭＴＣ機能の組み合わせなど、その他の情報に基づいてカテゴリを決定してもよい。ＡＰＮはＭＴＣデバイスが接続したネットワークに対応し、すべての計量装置が同じネットワーク、例えば、公益企業のネットワークに接続され、すべての自動販売機が、計量装置が接続されたネットワークとは異なる同じネットワーク、例えば、自動販売機事業者のネットワークに接続される場合がある。
【０１１９】
例えば、ＭＴＣデバイスが様々な条件に基づいてデータを送信する場合、１つのＭＴＣデバイスが同時に異なるカテゴリの一部になってもよい。
【０１２０】
このような接続ピークを回避するために、本発明のこの実施形態によれば、ＭＴＣデバイスは、ＲＡＣＨにアクセスすべき時期について動的に通知されることになる。
【０１２１】
それぞれのＭＴＣデバイスは、ＲＡＣＨへの接続のピークが全く発生しないように、特定の期間だけそのＲＡＣＨアクセスを遅延させることになるが、トリガ条件が適用された後、その接続は特定の期間について均等に分散される。一般に時間の経過につれて接続が均等に分散されるために、ＭＴＣデバイスのそれぞれ又はほとんどは異なる時間だけそのＲＡＣＨアクセスを遅延させなければならない。
【０１２２】
遅延時間、即ち、トリガ条件が適用された後それぞれのＭＴＣデバイスがＲＡＣＨへの接続を遅延させる時間は、ＭＴＣデバイスそのものの内部で計算してもよい。ＭＭＥは、遅延時間の適切な計算に関連するパラメータについてＭＴＣデバイスに通知する。
【０１２３】
遅延時間を計算する１つの方法は、ＭＭＥが最大バックオフ時間をＭＴＣデバイスに送信することである。ピーク・イベント、即ち、トリガ条件が適用される場合、それぞれのＭＴＣデバイスは、それぞれのデバイスに固有の実際のバックオフ値として、０〜最大バックオフ時間の間隔内のランダム値を決定する。それぞれのＭＴＣデバイスの遅延時間はランダムに計算されるので、ＭＴＣデバイスのほとんどは、異なる遅延時間を選択したことになり、従って、異なる時点でＲＡＣＨに接続することになり、その結果、接続のピーク及びネットワークの輻輳を回避する。
【０１２４】
ＭＭＥから送信される最大遅延時間は、ネットワーク内のデバイスの数、ネットワーク内のその他のモバイル・ノード、又はネットワーク内の現行負荷など、様々な要因に基づいて計算されてもよい。ＭＭＥは、以下のものに基づいて、セル内の負荷を推定することができる。
・確立されたＲＲＣ接続、ベアラの数、無線リソース使用状況など、例えば、Ｏ＆Ｍパフォーマンス測定を介して、ｅＮＢから受信された情報
・例えば、１つのｅＮＢ内の負荷がしきい値以上である場合、ＳＧＷはｅＮＢにおけるアップリンク／ダウンリンク負荷を把握し、ＭＭＥに通知する。
・ＭＭＥは、トラッキング・エリア内のＩＤＬＥ  ＵＥ／デバイスの数を把握し、ピーク・イベントの場合にアクティブなＵＥ／デバイスの予想数を決定することができる。
【０１２５】
デタッチされた（更に、例えば、低モビリティ機能に加入済）ＭＴＣデバイスは、これらのデバイスに関するコンテキストが依然としてＭＭＥに記憶されている場合、ＩＤＬＥデバイスと同じようにＭＭＥによって考慮され得る。遅延時間をランダムに計算する場合、ネットワークはＭＴＣデバイス上のランダム機能によりアクセス動作をほとんど制御できない。
【０１２６】
従って、もう１つの方法は、デバイスごとに異なるパラメータに基づいてデバイスにより遅延時間を計算することであり、従って、遅延時間の計算結果はデバイス間で異なるが、計算に使用される既知の固有のパラメータのために予測可能であることを保証する。例えば、国際移動加入者ＩＤ（ＩＭＳＩ）が使用されてもよい。
【０１２７】
このような計算の一例を以下に示す。ＭＴＣデバイスは、継続期間パラメータＤ及び任意で許可デバイス・パラメータＡについて通知される。輻輳カテゴリ・イベントが発生した後、ＭＴＣデバイスは、この２つのパラメータに基づいてネットワークへのアクセスが許可される時期を決定する。ＭＴＣデバイスは、実際のバックオフ時間Ｔbackoff＝（ＩＭＳＩ  ｍｏｄ  Ｄ）／Ａを計算する。バックオフ時間は、例えば、数秒又は０．１秒にすることができ、その単位もＭＴＣデバイスに送信することができる。それぞれのデバイスの特定のパラメータを使用することにより遅延を計算する場合の１つの特性は、デバイスがＲＡＣＨに接続する順序が常に同じままになることである。
【０１２８】
この不変の順序を回避するために、調整されたＡに加えてＤに異なる（ランダム）値を使用することができる（例えば、Ａ＝Ｄ／最大バックオフ）。その場合、どのＭＴＣデバイスが何時に開始するのを許可されるかをランダム化することは可能であり、常に同じＭＴＣデバイスが最初にネットワークにアクセスすることを回避することができる。更に、ここで、ネットワークがピーク・イベントの時点に気付いている（例えば、電源障害に気付いているか或いはＭＴＣデバイス又はその他のエンティティからイベントについて通知されている）場合、ネットワークは、ＩＭＳＩ、Ｄ値、Ａに基づいてＴbackoffを計算し、ＭＴＣデバイスがその時点でネットワークへのアクセスを許可されるかどうかをチェックすることもできる。
【０１２９】
遅延時間を計算するための他のメカニズムは、ピーク・イベントの場合にセル内のＵＥ及びＭＴＣデバイス間の衝突確率が特定の値未満になり、例えば、ＭＴＣデバイスなしの通常の衝突確率と比較して最大１％高くなることを保証することをＭＭＥが希望してもよい。タイムスロットあたりのＵＥごとの衝突確率
【数３】
2013524563.tif 000005
及びタイムスロットあたり使用可能なリソースＬの場合、アクセス試行負荷Ｇは
【数４】
2013524563.tif 000006
によって推定することができる。即ち、無線フレームあたり２つのＲＡＣＨスロット（それぞれ６４個のシグネチャ・プリアンブルを提供する）を有する１０ＭＨｚの帯域幅であり、
【数５】
2013524563.tif 000007
である場合、スロットあたりＧ＝１．２９３０（−６４＊Ｉｎ（１−０．０２））になり、更に無線フレームあたり（即ち、１０ｍｓ以内）アクセス試行負荷＝２．５８５９、即ち、毎秒２５９回の試行になる。ＭＴＣデバイスのピークの場合の衝突確率が１％高い場合、ＭＴＣデバイス負荷ＧＭＴＣは
【数６】
2013524563.tif 000008
によって推定することができる。
【０１３０】
従って、ＭＭＥが式に基づいて上記のパラメータＤ及びＡを決定する（ＭＭＥがＲＡＣＨ構成に気付いている場合）か、或いはＭＭＥからＭＴＣデバイスに送信された構成情報が、ＭＴＣデバイスのみに有効な確率値の形（ＭＴＣデバイスが通常の衝突確率
【数７】
2013524563.tif 000009
に気付いている場合）又は係数
【数８】
2013524563.tif 000010
の形で、エリア（例えば、セル）内の１つのグループの（予想される）ＭＴＣデバイスの数及び増加した衝突確率に関する情報を含んでもよい。
【０１３１】
ＭＭＥは、グループＩＤ及びそのグループのＭＴＣデバイスの数及び増加した衝突確率に関する情報を含む、ＭＴＣデバイスの通知をトリガする。ＭＴＣデバイスが、ピークを引き起こす可能性のあるイベントによりネットワークへのアクセスを希望する場合、そのデバイスは、ブロードキャストされたアクセス動作情報、タイムスロットあたり使用可能なリソースに関するブロードキャストされた情報、及び、例えば、国際移動加入者ＩＤ（ＩＭＳＩ）としてのローカル・パラメータに基づいて、ネットワークにアクセスすることが許可されるまでのバックオフ時間を決定する。通常の衝突確率が２％であり、ＭＴＣデバイスを使用すると衝突確率が１％高くなり、無線フレームあたり２つのＲＡＣＨスロットであり、スロットあたり６４個のシグネチャ・プリアンブルであるという上記のシナリオの場合、無線フレームあたりの追加の負荷は１．３１２８になる。即ち、例えば、エリア内のグループのＭＴＣデバイスが１３１３台である場合、これらのデバイスは１０秒という最大遅延時間にわたり、そのアクセスを分散させる必要がある。それぞれのＭＴＣデバイスは、Ｔbackoff＝１０／１３１３（ＩＭＳＩ  ｍｏｄ  １３１３）によってそのバックオフ時間（秒単位）を決定することができ、ＭＴＣデバイスは時間の経過につれてネットワークへのそのアクセスを分散し、ピーク・イベントの場合の輻輳が回避される。
【０１３２】
上述の通り、ＭＴＣデバイスが特定の遅延時間Ｔbackoffを計算するために、ＭＭＥからＭＴＣデバイスに情報が送信される。この送信は、ＭＴＣデバイス（複数も可）の現在の接続状態によって、様々な方法で実行することができる。
【０１３３】
アクセス動作情報をＭＴＣデバイスに配信するための１つの方法は、通常のダウンリンク・データとして、例えば、ＭＴＣアプリケーションの一部として、又はＮＡＳ信号に含まれる情報として（例えば、トラッキング・エリア更新、ベアラ変更など）、それを送信することである。このような場合、それぞれのグループのすべてのＭＴＣデバイスは、データを受信できるようになるために、ＣＯＮＮＥＣＴＥＤ状態である必要がある。特に、大規模グループのＭＴＣデバイスを更新する必要がある場合、これは電力消費量及びネットワークの負荷を増加させるものである。
【０１３４】
もう１つの解決策は、ブロードキャスト又はマルチキャスト送信（例えば、ＭＢＭＳ、ＣＢＳ）の一部としてデータを送信することである。ＣＢＳの場合、ＭＭＥは、位置情報、グループＩＤ、及びパラメータをセル・ブロードキャスト・センタ（ＣＢＣ）に送信することができ、ＣＢＣは定義済みの反復間隔でその位置にあるＭＴＣデバイスにブロードキャスト・メッセージを送信する。ＭＴＣデバイスは、ネットワークに接続されていない場合でも、そのセル・ブロードキャスト・メッセージを読み取ることができる。しかし、これは、ブロードキャスト又はマルチキャスト・メカニズムのサポートを必要とし、従って、ＭＴＣデバイスの複雑さと事業者のコストを増加させるものである。加えて、マルチキャスト・メカニズムによっては、ＭＴＣデバイスはＣＯＮＮＥＣＴＥＤ状態である必要もある。他の可能性によれば、強化されたシステム情報ブロードキャスト（ＳＩＢ）を介してアクセス動作情報を転送することができる。ＭＭＥはグループＩＤ及び適切なパラメータに関する情報を強化されたＳ１−ＡＰメッセージでｅＮＢに送信することができ、ｅＮＢはＳＩＢを介してその情報をブロードキャストする。強化されたＳ１−ＡＰメッセージは、任意に必要な情報も含むように拡張された新しいＳ１−ＡＰメッセージ・タイプ又は警告メッセージ送信メッセージ又はｅＮＢ構成転送メッセージにすることができる。
【０１３５】
ＳＩＢを使用する解決策の問題の１つは、ＭＭＥから新しいアクセス動作パラメータを受信できるようにし、ＳＩＢを介して動的にＭＴＣデバイスに新しいパラメータを信号送出できるようにするためにｅＮＢを変更しなければならず、即ち、レガシーｅＮＢはこのような新しいパラメータの転送をサポートしないので、レガシーｅＮＢにより無線アクセス・ネットワーク内のピークを回避することが不可能であることである。
【０１３６】
レガシーｅＮＢが配備されている時にＭＴＣデバイスのピークを回避するために、すでに上述したように、ＭＭＥはＮＡＳ信号（例えば、接続又はトラッキング・エリア更新）を使用して、グループＩＤ及びアクセス動作情報についてＭＴＣデバイスに通知してもよい。
【０１３７】
また、新しいパラメータでＩＤＬＥ又はＤＥＴＡＣＨＥＤのＭＴＣデバイスを動的に更新するために、ページング・メカニズムを使用してもよい。
【０１３８】
ＵＥの通常のページングは以下のように機能する。ＵＥ又はＭＴＣデバイスは、ページング・メッセージの指示、即ち、ページング無線ネットワーク一時ＩＤ（Ｐ−ＲＮＴＩ）について物理ダウンリンク制御チャネル（ＰＤＣＣＨ）をモニターする。ＵＥは、特定のＵＥ固有オケージョンに、即ち、特定の無線フレーム内の特定のサブフレームで、ＰＤＣＣＨチャネルをモニターすることのみが必要である。それ以外の時には、ＵＥは、不連続受信を適用し、その結果、その受信機をオフにしてバッテリ電力を保存してもよい。異なる言い方をすると、ＵＥの異なるグループに異なるページングＩＤを提供するのではなく、異なるＵＥがそれぞれのページング・メッセージについて異なるサブフレームをモニターする。
【０１３９】
ＰＤＣＣＨでモニターすべきオケージョンは、ページング・フレーム（ＰＦ）内のページング・オケージョン（ＰＯ）という特定のサブフレームである。ＰＦは以下のように計算される。
【数９】
2013524563.tif 000011
【０１４０】
ＰＯは、以下の式により索引ｉ＿ｓを使用して、サブフレーム・パターンから導出される。
【数１０】
2013524563.tif 000012
【０１４１】
以下のパラメータはＰＦ及びｉ＿ｓの計算に使用される。
・Ｔ：  ＵＥのＤＲＸサイクル。Ｔは、上位層によって割り振られる場合のＵＥ固有のＤＲＸ値とシステム情報でブロードキャストされるデフォルトＤＲＸ値のうちの最も短いものによって決定される。ＵＥ固有のＤＲＸが上位層によって構成されない場合、デフォルト値が適用される。
・ｎＢ：  ４Ｔ、２Ｔ、Ｔ、Ｔ／２、Ｔ／４、Ｔ／８、Ｔ／１６、Ｔ／３２（フレームあたりのページング・サブフレームの数）
・Ｎ：  ｍｉｎ（Ｔ，ｎＢ）
・Ｎｓ：  ｍａｘ（１，ｎＢ／Ｔ）
・ＵＥ＿ＩＤ：  ＩＭＳＩ  ｍｏｄ  １０２４
【０１４２】
ｅＮＢとＵＥはどちらもページング・オケージョンを把握する必要がある。従って、ＵＥはそのＩＭＳＩからページング・オケージョンを計算することができる。
【０１４３】
ＰＤＣＣＨ上のページング指示は、ページング・メッセージを搬送する物理ダウンリンク共用チャネル（ＰＤＳＣＨ）内のリソース・ブロックに対して指示する。ページング・メッセージはページングされたＵＥごとに１つのページング・レコードを含み、そのページング・レコードはＵＥ  ＩＤ（即ち、ＩＭＳＩ又はＳ−ＴＭＳＩ）を含む。
【０１４４】
本発明の一実施形態によれば、ＭＴＣデバイスはＰ−ＲＮＴＩについてＰＤＣＣＨを聴取し、そのＰ−ＲＮＴＩがＰＤＳＣＨ内での対応するリソース・ブロックに対して指示する。ＰＤＳＣＨ上のページング・レコードは、例えば、グループＩＤ及び新しいパラメータをコード化する疑似ＩＭＳＩの形で、構成情報を含む。
【０１４５】
通常のＩＭＳＩは、モバイル国別コード（ＭＣＣ、３桁）、モバイル・ネットワーク事業者のモバイル・ネットワーク・コード（ＭＮＣ、２桁又は３桁）、及び移動加入者識別番号（ＭＳＩＮ、ＭＮＣの長さ次第で１０桁又は９桁）で構成される。
【０１４６】
図４は、本発明の一実施形態によるページング手順に関するＭＴＣデバイス動作のフローチャートを示している。初期接続手順中又はＴＡＵ（トラッキング・エリア更新）手順中に、ＭＴＣデバイスは関連のグループＩＤ（複数も可）を受信する。次に、ＭＴＣデバイスは、そのＩＭＳＩ及び可能な疑似ＩＭＳＩ（グループＩＤ（複数も可）及びその結果、ページング・オケージョンは変化する可能性があるので、どちらのＩＭＳＩもフローチャートには示されていない）に応じてページング・オケージョンを決定する。異なる言い方をすると、それぞれのＭＴＣデバイスは、２回のページング・オケージョンでＰＤＣＣＨを繰り返し聴取し、１回は通常のＩＭＳＩについて、もう一回は疑似ＩＭＳＩについて聴取する。後で説明するように、ページング・オケージョンは、疑似ＩＭＳＩを使用する代わりに、ＭＭＥによって決定され、ＭＴＣデバイスに送信されたＵＥ＿ＩＤに基づいて、ＭＴＣデバイスによって計算することができる。
【０１４７】
ＭＴＣデバイスはページング・オケージョン（ページング時点）でページング・チャネルをモニターし、Ｐ−ＲＮＴＩがＭＴＣデバイスによって受信された場合、ＭＴＣデバイスはＰＤＣＣＨ上のページングによって示されるようにＰＤＳＣＨ内のリソース・ブロック上の対応するページング・レコードを読み取る。ＭＴＣデバイスは、ページング・レコードが有効な疑似ＩＭＳＩ（複数も可）、即ち、ＭＴＣデバイスが属するグループに関するグループＩＤをコード化する疑似ＩＭＳＩを含むかどうかをチェックする。当然、ページング・オケージョンが疑似ＩＭＳＩのページング・オケージョンに対応しなかった場合、ＭＴＣデバイスはスキップして、疑似ＩＭＳＩが含まれるかどうかをチェックしてもよい。
【０１４８】
そのグループに関する疑似ＩＭＳＩ（複数も可）が含まれていた場合、ＭＴＣデバイスは、ＭＴＣデバイスの新しい数などの新しい構成パラメータを採用する。
【０１４９】
次に、ＭＴＣデバイスがＣＯＮＮＥＣＴＥＤ状態である場合、そのデバイスは、他の情報（例えば、システム情報の変更の通知）がページング・メッセージに含まれるかどうかをチェックし、ＰＤＣＣＨをモニターし続ける。そうではなく、ＭＴＣデバイスがＤＥＲＥＧＩＳＴＥＲＥＤである場合、そのデバイスはページング・レコードを更にチェックすることはないが、ページング・チャネルをモニターし続ける。ＭＴＣデバイスがＤＥＲＥＧＩＳＴＥＲＥＤではないがＩＤＬＥである場合、そのデバイスはページング・レコードがＵＥ  ＩＤ（ＩＭＳＩ又はＳ−ＴＭＳＩ）を含むかどうかをチェックし、ページング・オケージョンがＩＭＳＩのページング・オケージョンに対応しなかった場合、ＭＴＣデバイスはスキップして、ＩＭＳＩ又はＳ−ＴＭＳＩが含まれるかどうかをチェックしてもよい。
【０１５０】
ＭＴＣデバイスの有効なＳ−ＴＭＳＩが含まれる場合、そのデバイスはサービス要求を送信し、ＭＴＣデバイスのＩＭＳＩが含まれる場合、そのデバイスは初期接続を実行する。ＭＴＣデバイスは、他の情報に関するページング・メッセージのチェックに移行し、ページング・チャネルをモニターし続ける。
【０１５１】
従って、ＭＴＣデバイスは特定のページング・オケージョンにＰＤＣＣＨをモニターし、それぞれの通常のＵＥ  ＩＤ（ＩＭＳＩ又はＳＡＥ一時移動局ＩＤ（Ｓ−ＴＭＳＩ））に加えて、ＭＴＣデバイスは、疑似ＩＭＳＩ又は所定のＵＥ＿ＩＤに基づいて計算されたページング・オケージョンにＰＤＣＣＨ上でＰ−ＲＮＴＩによって示されるように、それぞれの系列グループに関連する疑似ＩＭＳＩがＰＤＳＣＨ上で通知されるかどうかもチェックする。有効な疑似ＩＭＳＩがＭＴＣデバイスによって検出された場合、そのデバイスはページングに応答しないが、含まれていた新しいパラメータを採用する。
【０１５２】
ページングは、トラッキング・エリアに基づいて関連のｅＮＢにページング要求を配信するＭＭＥによって実行される。ＭＭＥから「ページング要求」を受信すると、ｅＮＢは無線インターフェースＰＤＣＣＨチャネルによりページを送信する。
【０１５３】
特定のデバイスに関するページング・オケージョンは、そのデバイスのＩＭＳＩに基づいて計算される。
【０１５４】
従って、ＩＭＳＩ値が異なると、その結果、ＰＦ及びｉ＿ｓの値も異なる可能性がある。疑似ＩＭＳＩはグループＩＤ及び構成パラメータをコード化し、時間の経過につれてパラメータが変化することにより、疑似ＩＭＳＩはコード化されたパラメータにより、単一グループについて異なる複数の値を有する可能性がある。あるグループについて可能な疑似ＩＭＳＩ値が異なり、その結果、ＰＦ及びｉ＿ｓの値も異なる場合、そのグループのＭＴＣデバイスはあり得るページング・オケージョンをすべてモニターしなければならず、その結果、オーバヘッド及び電力消費量が高くなる。
【０１５５】
しかし、現在の３ＧＰＰ規格では、通常のページングの場合、ＭＭＥはＵＥ＿ＩＤについて明示的にｅＮＢに通知し、即ち、ＭＭＥはＩＭＳＩからＵＥ＿ＩＤを決定し、ｅＮＢは受信したＵＥ＿ＩＤに基づいてページング・オケージョンを決定する。従って、疑似ＩＭＳＩによるページングの場合、ＭＭＥはＵＥ＿ＩＤを有する疑似ページング・メッセージをｅＮＢに送信することができ、ＵＥ＿ＩＤ≠疑似ＩＭＳＩ  ｍｏｄ  １０２４になる。従って、疑似ＩＭＳＩが異なっても、結果的にページング・オケージョンは異ならない。この場合、ＭＴＣデバイスは、ページング・オケージョンを決定するために疑似ＩＭＳＩを使用しないが、疑似ＩＭＳＩをページングするためにＭＭＥによって使用されるＵＥ＿ＩＤについて通知される。１つの例としてはＵＥ＿ＩＤ＝グループＩＤである。
【０１５６】
ｅＮＢに送信されたＵＥ＿ＩＤが疑似ＩＭＳＩと一致しない場合、ＵＥ＿ＩＤが正しいかどうかをｅＮＢが検証し、その結果、不一致のためにページング・メッセージを拒否する場合に、ｅＮＢがページング・メッセージを送信しないことがある。
【０１５７】
従って、もう１つの例としては、疑似ＩＭＳＩの代わりに疑似Ｓ−ＴＭＳＩ（一時移動加入者ＩＤ）を使用することである。ページング・メッセージは、ＭＴＣデバイスのグループに関連し、ページング・オケージョンを計算するためにｅＮＢによって使用されるＵＥ＿ＩＤを含む。加えて、ページング・メッセージは、グループＩＤ及びパラメータをコード化する疑似Ｓ−ＴＭＳＩを含む。グループＩＤに基づいて、ＭＴＣデバイスは、パラメータが確かにそれに属することを検証してもよい。
【０１５８】
しかし、疑似Ｓ−ＴＭＳＩは、ＩＭＳＩの８オクテットと比較して、４オクテットしか含まない。
【０１５９】
本発明の他の実施形態によれば、ｅＮＢ実装に対する依存を回避し、あるグループについて可能な疑似ＩＭＳＩ値がＰＦ及びｉ＿ｓに関して異なる値になることを回避するために、特定のグループについて、疑似ＩＭＳＩ（ａ）  ｍｏｄ  １０２４＝疑似ＩＭＳＩ（ｂ）  ｍｏｄ  １０２４になることが保証されるべきである。異なる言い方をすると、特定のグループに関する疑似ＩＭＳＩは、異なるパラメータがコード化された場合でも、その結果のＵＥ＿ＩＤ＝疑似ＩＭＳＩ  ｍｏｄ  １０２４が常に同じになるように生成されるはずである。
【０１６０】
以下の表は、これをどのように達成できるかを例示するものである。この例の場合、構成情報、即ち、疑似ＩＭＳＩは、ＭＴＣデバイスについて増加した衝突確率、グループ内のＭＴＣデバイスの数、及びグループ固有の定数をコード化するものと仮定する。その結果、この例の場合、ＭＴＣデバイスはＵＥデバイスに関する最大衝突確率など、上記の式に基づいてそれ自身の遅延時間を計算するために残りのパラメータを把握していると仮定する。
【表１】
2013524563.tif 000013
【０１６１】
より詳細には、上記の表から認識できるように、この特定の例の疑似ＩＭＳＩは、最後の５つの位置にＭＣＣ／ＭＮＣ、次の５つの位置にコード化された衝突確率、疑似ＩＭＳＩの最初の５つの位置にコード化されたデバイス数＋グループ固有の定数で構成される。グループ固有の定数はグループＩＤであり、以下の場合には、ページング・オケージョンが計算される際の基礎となる所定のＵＥ＿ＩＤと同じである。
【０１６２】
この特定の例では、ＭＣＣ／ＭＮＣは実際にネットワークを識別し、一般に使用されるＭＣＣ／ＭＮＣに対応する。例えば、ＭＣＣ２６２はドイツを指し、ＭＮＣはボーダフォンを指す。追加の衝突確率をコード化する場合、ＭＣＣ／ＭＮＣがＵＥ＿ＩＤのｍｏｄ  １０２４計算に対して全く影響を及ぼさないことが保証されることを理解しやすくするために、１０２４の倍数が使用される。従って、０１０２４は０．５％という増加した衝突確率をコード化し、０２０４８は１％という増加した衝突確率をコード化し、以下同様になる。
【０１６３】
同様に、グループ内のＭＴＣデバイスの数も１０２４の倍数としてコード化され、１０００台のＭＴＣデバイスは０１０２４としてコード化され、２０００台のＭＴＣデバイスは０２０４８としてコード化され、以下同様になる。次に、コード化されたＭＴＣデバイス数にグループ固有の定数が加えられ、グループ固有の定数がＵＥ＿ＩＤになる。例えば、１００台のＭＴＣデバイスの場合、０１０２４に１２３が加えられ、最初の５つの位置に関して０１１４７となる。衝突確率のコード化により、ｍｏｄ  １０２４が計算する１０２４の倍数としてのＭＴＣデバイスの数により、必ずＵＥ＿ＩＤとしてグループ固有の定数が得られる。
【０１６４】
上記のコード化方式により、実際のパラメータとコード化されたパラメータとの関係を容易に導出することができるが、通知することができる可能なパラメータの数は、パラメータの個別コード化を基礎として１０２４という大きい数のために確実に制限される。１０２４のすべての可能な倍数を使用する代わりに、例えば、コード化された衝突確率をコード化するために３２の倍数が使用される場合、はるかに多くの異なる衝突確率をコード化できるであろう。
【０１６５】
しかし、疑似ＩＭＳＩの最初の５つの位置になると、モジュロ演算の結果に直接的な影響を及ぼすので、これは、コード化されたＭＴＣデバイス数に適用されない。換言すれば、グループ内のＭＴＣデバイスの数のコード化は、モジュロ演算に使用される数の倍数によって行わなければならず、この場合は１０２４である。
【０１６６】
最大遅延時間などのその他のパラメータをコード化する時に、同様の方式を使用してもよい。更に、ＵＥ＿ＩＤ及びページング・オケージョンを決定するために疑似Ｓ−ＴＭＳＩは使用されないので、疑似ＩＭＳＩの代わりに疑似Ｓ−ＴＭＳＩを使用する時に、上記の考慮事項は適用されない。
【０１６７】
動的ピーク回避メカニズムが上記の表からの疑似ＩＭＳＩと高レベルでどのように機能するかに関する一例は、以下の図に関連して示されている。
【０１６８】
図５では、公益企業が、特定のエリア内でガス計量のために数台のＭＴＣデバイスを配備している。すべてのデバイスは特定のグループ内にあり、接続手順中にそれらのデバイスに１つのグループＩＤ（例えば、１２３）が割り当てられ、通知される。ＭＴＣデバイスの数は依然として少数であり、従って、任意の特定のピーク回避制御の必要はない。例えば、ＭＭＥのネットワーク内には４台のＭＴＣデバイスのみが描写されており、ｅＮＢ１のセル内に２台、ｅＮＢ２及びｅＮＢ３のセル内にそれぞれ１台のＭＴＣデバイスが描写されている。描写されているそれぞれのＭＴＣデバイスは実際にはシステム内の３００台のＭＴＣデバイスに相当すると仮定する。従って、図５のシナリオでは、合計で１２００台のＭＴＣデバイスが配備されている。
【０１６９】
図６によって例示されているように、公益企業はガス計量用のＭＴＣデバイスの数をＭＭＥネットワークについて合計で３０００台まで増加する（１０台のＭＴＣデバイスが描写されている）。ＭＴＣデバイスの数がしきい値より大きくなる（例えば、しきい値は２１００台のＭＴＣデバイスである）と、その結果、無線アクセス又はネットワーク内の過負荷が過負荷状況を引き起こす。新たに接続されたＭＴＣデバイスは図６に斜線付きで描写されており、接続中にＭＴＣデバイスに関する１％の増加した衝突確率とＭＴＣデバイスの数＝３０００について通知され、ＩＤＬＥ又はＤＥＴＡＣＨＥＤのＭＴＣデバイスは、例えば、上記の表の方式によって生成された疑似ＩＭＳＩを使用してページングを介して通知される。この場合、疑似ＩＭＳＩは２６２０２２０４８０３１９５になり、ＭＭＥネットワークがボーダフォン・ドイツ・ネットワークであると仮定する。ＭＴＣデバイスは、トリガ・イベントがアップリンク同期を達成するようにＲＡＣＨへの接続をトリガした時にそれ自身の遅延時間を計算するのに必要な情報について通知される。
【０１７０】
次に、図７では、ネットワークのトラッキング・エリア内の通常のＵＥの数が増加し、従って、ＵＥに関する衝突の可能性が増加するが、ＭＴＣデバイスの数及びＭＴＣデバイスに関する衝突確率は同じままである。ＵＥデバイスに関する衝突確率が０．５％だけ増加し、それにより、ＭＴＣデバイスに関する衝突確率が、１％の代わりに０．５％まで同じ量だけ減少すると仮定する。従って、ＭＭＥはわずか０．５％という新しい増加した衝突確率及び不変のデバイス数＝３０００についてページングを介してＭＴＣデバイスに通知する。これにより、上記の表を使用して新しい疑似ＩＭＳＩが生成され、それにより、疑似ＩＭＳＩ＝２６２０２０１２４０３１９５が得られる。このグループのＭＴＣデバイスは、ページングを読み取り、潜在的なピークの場合にそれぞれの接続動作を適合させる。
【０１７１】
疑似ＩＭＳＩを生成するための上記の方式に関する問題の１つは、疑似ＩＭＳＩが適切なモバイル・ネットワーク事業者（又はローミング・パートナー）に属するＭＣＣ及びＭＮＣで構成される場合に、通常のＩＭＳＩとの不一致が発生する可能性があることである。例えば、上記の表では、疑似ＩＭＳＩは、ボーダフォン・ドイツ又はＮＴＴドコモ日本に使用される実際のＭＣＣ及びＭＮＣを使用して生成される。ＭＴＣデバイスが疑似ＩＭＳＩの新しいパラメータについて通知される場合、対応するＩＭＳＩを有するＵＥも、それがページングされると判断し、ネットワークに接続することになる。これに対して、ＵＥが実際にそのＩＭＳＩによってページングされると、ＵＥのＩＭＳＩに対応する可能性のある疑似ＩＭＳＩを有するＭＴＣデバイスも、パラメータの変更が行われたと判断し、新しいパラメータを採用することになる。
【０１７２】
可能性のある疑似ＩＭＳＩと通常のＵＥのＩＭＳＩとのこのような不一致を回避するために、モバイル・ネットワーク事業者（又は前記ネットワーク事業者のローミング・パートナー）のＭＣＣ及びＭＮＣの代わりに、特定のＭＣＣ（及び／又はＭＮＣ）値をＭＴＣデバイスに使用することができる。使用されるＭＣＣ、ＭＮＣ値は、（まだ）割り振られていないＭＣＣ、ＭＮＣ値であるか又は現在のネットワーク事業者とのローミング契約を持たないネットワーク事業者の値或いは現在のＭＭＥのエリア内で使用されない値のいずれかである。ＭＣＣ値はすべてのＭＴＣデバイスについて同じにすることができる。或いは、異なるグループが異なるＭＣＣ値を使用することもできる。ＭＣＣ値がすべてのＭＴＣデバイスについて同じである場合、グループの最大数は、グループ固有の定数によって識別される１０２４である。しかし、異なるグループをコード化するために異なるＭＣＣ値も使用される場合、可能なグループの数は追加のＭＣＣ値あたり１０２４だけ増加する。
【０１７３】
ＭＴＣデバイスに異なるＭＣＣ値を使用し、新しいパラメータの通知に１２桁のＭＮＣ＋ＭＳＩＮを使用するという方式により、ほぼ１０９個の値をパラメータとして表すことができる（１２桁＝ｍａｘ  ９９９．９９９．９９９．９９９＝１０１２及び１０１２／１０２４＝約１０９）。
【０１７４】
このような疑似ＩＭＳＩは図８に描写されており、ＭＣＣは接続確立の構成に固有のものであり、残りの桁は構成パラメータ及びグループＩＤをコード化するものである。
【０１７５】
更に、疑似ＩＭＳＩ及びグループとの関連を使用する場合の問題の１つは、グループＩＤが特定のエリア内又は特定の時間にのみ有効であることである。即ち、他のＭＭＥのエリアでは同じグループにおいて異なるグループＩＤが使用される可能性がある。或いは、他の時間では、例えば、ピーク動作が特定の時間間隔中に同様である時に異なるグループ同士を結合できる場合、複数のグループが他のグループＩＤに割り当てられる可能性がある。これにより、ＭＴＣデバイスが他のエリアに移動する時に、グループＩＤがもはや適用されず、そのグループにおいて適切に構成されないという問題が発生する可能性がある。
【０１７６】
本発明の他の実施形態によれば、ＭＴＣデバイスは、上記の問題を解決するために、モビリティによりＴＡＵ（トラッキング・エリア更新）中に更新される。即ち、そのグループの１台のＭＴＣデバイスがアイドル状態であり、異なるＭＭＥに移動する場合、そのデバイスはＴＡＵを実行し、ＴＡＵ中に新しいグループＩＤで更新することができる。しかし、前述の通り、ＭＴＣデバイスは、デタッチされているが、ページング情報を聴取している可能性があり、特定のイベントの場合にのみ接続する。同じように、ＭＴＣデバイスは定期的ＴＡＵ中に更新することができる。しかし、静的なＭＴＣデバイスは定期的ＴＡＵを実行しない可能性がある、又は定期的ＴＡＵタイマが大きすぎる可能性がある。従って、ＭＴＣデバイスはＴＡＵなしで新しいグループＩＤを認識する必要がある。
【０１７７】
従って、グループＩＤの変更についてＴＡＵ手順なしでＭＴＣデバイスに通知するために、ＭＴＣデバイスへのページング・メッセージ内に、具体的には疑似ＩＭＳＩ内に、（構成パラメータに加えて）指示をコード化することができる。そして、ＭＴＣデバイスは、検出された位置又は決定された時間と組み合わせて指示及びパラメータに基づいて、グループＩＤが移動又は時間のために変化したのかどうか或いはアクセス動作パラメータが変化したのかどうかを判断することができる。
【０１７８】
コード化された指示を含む疑似ＩＭＳＩの例について以下に説明する。
【０１７９】
疑似ＩＭＳＩの最初の３桁（ＭＣＣ）は現行グループに固有のものであると仮定する。そして、残りの１２桁はほぼ１０９個の値を表すことができ、コード化された指示＋パラメータである。例えば、以下のようになる。
・疑似ＩＭＳＩ＝１１１０１０２４００１０３５１及びグループ固有の定数＝疑似ＩＭＳＩモジュロ１０２４＝１１１である場合、指示＋パラメータは（０１０２４００１０３５１  −  １１１）／１０２４  ＝  ０  １００００  ０１０から導出することができる。１桁目＝０は「予想デバイス及び衝突確率に関する新しいパラメータ」という指示を意味し、２〜６桁目＝予想デバイス、７〜９桁目＝０．１％の衝突確率の差を意味する。
・疑似ＩＭＳＩ＝２３４１３６５３３５７２８４２及びグループ固有の定数＝疑似ＩＭＳＩモジュロ１０２４＝２３４である場合、指示＋パラメータは（１３６５３３５７２８４２  −  ２３４）／１０２４  ＝  １  ３３３３３  ５６７から導出することができる。１桁目＝１は「新しいＴＡ内のグループＩＤを新しいグループＩＤに変更する」という指示を意味し、２〜６桁目＝トラッキング・エリア・コード（ＴＡＣ）、７〜９桁目＝新しいグループＩＤを意味する。ＭＴＣデバイスは、依然として古いトラッキング・エリア内にある間に異なるグループＩＤについて通知される。グループＩＤ２３４を有するＭＴＣデバイスが新しいエリア内で新しいＴＡＣ３３３３３を発見した場合、そのデバイスはそのグループＩＤを５６７に変更する。
【０１８０】
本発明の一実施形態により、信号のフローの例を図９に示す。ここで、同じグループの一部である、即ち、同じイベントの場合に接続を確立する３台のＭＴＣデバイスは同じエリア内に（例えば、同じｅＮＢ及びＭＭＥの付近に）位置する。
１．ＭＴＣデバイスＭＴＣ１はネットワークに接続し、ｅＮＢを介してＭＭＥに接続要求を送信する。
２．ＭＭＥはＨＳＳからＭＴＣ１に関する加入コンテキストを要求する。
３．加入コンテキスト及び追加の情報に基づいて、ＭＭＥはデバイスのピーク動作を判断し、ＭＴＣ１を適切なグループにカテゴリ化する。同じエリア内のそのグループのＭＴＣデバイスの総数は依然として少ないので、ピーク回避メカニズムを使用するようにＭＭＥがＭＴＣデバイスをトリガする必要はない。
４．ＭＭＥはＭＴＣデバイスＭＴＣ１に接続応答を送信し、割り当てられたグループＩＤを接続メッセージに含める。
５．ＭＴＣ１はネットワークからデタッチされる（切り離される）。（例えば、ＭＴＣ１が静的ＭＴＣデバイスであることをＭＭＥが加入コンテキストから気付いているので）ＭＭＥはＭＴＣデバイスのコンテキストを保持し、ピークの場合、ネットワーク内の負荷の計算にＭＴＣデバイスも含める。ＭＴＣデバイスＭＴＣ１は、その付随グループに関連する新しい情報又はパラメータについてページング・チャネルをモニターし続ける。ＭＴＣ１は、グループＩＤ＝ＵＥ＿ＩＤである場合にステップ４で受信したグループＩＤに基づいてページング・オケージョンを計算することができる。或いは、グループＩＤがＭＣＣ部分も含む場合、ＵＥ＿ＩＤをグループＩＤから導出することができる。
６．ＭＴＣデバイスＭＴＣ２はＩＤＬＥ状態であり、新しいトラッキング・エリア内に移動する。
７．ＭＴＣ２はトラッキング・エリア更新要求を新しいＭＭＥに送信する。
８．ＭＭＥは、（例えば、古いＭＭＥから受信したコンテキストに基づいて）デバイスのピーク動作を判断し、ＭＴＣ１と同じグループにＭＴＣ２をカテゴリ化する。グループＩＤはＭＴＣ２の前の位置から変化している。同じエリア内のそのグループのＭＴＣデバイスの総数は依然として少ないので、ピーク回避メカニズムを使用するようにＭＭＥがＭＴＣデバイスをトリガする必要はない。
９．ＭＭＥはトラッキング・エリア更新受諾をＭＴＣデバイスＭＴＣ２に送信し、新しいグループＩＤを接続メッセージに含める。ＴＡＵ受諾を受信した後、ＭＴＣ２はＩＤＬＥ状態にされる。ＭＴＣ２は、その付随グループに関連する新しい情報又はパラメータについてページング・チャネルをモニターし続ける。
１０．ＭＴＣデバイスＭＴＣ３はネットワークに接続し、ｅＮＢを介してＭＭＥに接続要求を送信する。
１１．ＭＭＥはＨＳＳからＭＴＣ３に関する加入コンテキストを要求する。
１２．加入コンテキスト及び追加の情報に基づいて、ＭＭＥはデバイスのピーク動作を判断し、ＭＴＣ３をＭＴＣ１及びＭＴＣ２と同じグループにカテゴリ化する。同じエリア内のそのグループのＭＴＣデバイスの総数はしきい値より大きいので、ピーク回避メカニズムを使用するようにＭＭＥがＭＴＣデバイスをトリガする必要がある。従って、ＭＭＥはそのグループに関する適切なアクセス動作パラメータを決定する。
１３．ＭＭＥはＭＴＣデバイスＭＴＣ３に接続応答を送信し、割り当てられたグループＩＤと更にアクセス動作パラメータを接続メッセージにすでに含めている。
１４．ＭＭＥはグループＩＤ及びアクセス動作パラメータをコード化して疑似ＩＭＳＩを生成する。
１５．ＭＭＥは、適切なＵＥ＿ＩＤ及び疑似ＩＭＳＩを含むページング・メッセージをｅＮＢに送信する。
１６．ｅＮＢはＵＥ＿ＩＤに応じてページング・オケージョンに疑似ＩＭＳＩを有するページング・メッセージを送信し、それはすべてのＭＴＣデバイスによって受信される。
１７．ＭＴＣ１及びＭＴＣ２はページング・メッセージからそのグループＩＤに関するアクセス動作パラメータを採用する。
１８．ＭＴＣ１、ＭＴＣ２、及びＭＴＣ３をネットワークに接続させるピーク・イベントが発生する。ピーク回避メカニズム及び適切なパラメータにより、それぞれのＭＴＣデバイスはそのバックオフ時間を決定する。
１９．ＭＴＣ３は最も短いバックオフ時間を有し、３台のＭＴＣデバイスのうちで最初にＲＡＣＨへのランダム・アクセスを実行し、ＭＭＥにサービス要求を送信する。
２０．ＭＴＣ１のバックオフ・タイマは２番目に切れ、（ＭＴＣ１はデタッチされていたので）時間切れ後にＭＴＣ１は初期接続を送信するためにランダム・アクセスを実行する。
２１．ＭＴＣ２は３台のＭＴＣデバイスのうちで最も長いバックオフ時間を有し、ＭＭＥにサービス要求を送信するために最後にランダム・アクセスを実行する。
【０１８１】
従って、本発明の各実施形態により、接続ピーク及び輻輳を回避することができる。
【０１８２】
以下の考察において、ＭＴＣデバイスは一緒にグループ化されると仮定する。例えば、前の考察において、ＭＴＣデバイスは、同時にネットワークに接続するようにＭＴＣデバイスをトリガする条件などのデバイス特性に基づいて一緒にグループ化される。ＭＴＣデバイスは、加入情報に基づいて（ＭＴＣユーザ、ＭＴＣ機能、又はＰＬＭＮなどに基づいて）或いは接続したネットワークに基づいて（アクセス・ポイント名、ＡＰＮなどに基づいて）更にグループ化してもよい。
【０１８３】
更に、１台のＭＴＣデバイスは複数グループのメンバになり得ると仮定する。例えば、１台のＭＴＣデバイスは、ＭＴＣグループＡ、Ｂ、及びＣに属してもよい。ＭＴＣグループＡのＭＴＣデバイスは加入したＭＴＣユーザに属してもよい。ＭＴＣグループＢのＭＴＣデバイスは接続したＡＰＮに属してもよい。グループＣのＭＴＣデバイスは特定のＰＬＭＮに加入してもよい（そのＰＬＭＮは、ＭＴＣデバイスが現在登録されているＰＬＭＮと同じＰＬＭＮである場合もあれば、そうではない場合もある）。
【０１８４】
より詳細には、ページングを担当するネットワーク内の対応するエンティティ、例えば、ＭＭＥは、ＭＴＣデバイスがそれぞれ属しているグループにより、種々のグループＩＤを生成し、それをＭＴＣデバイスに割り当てる。ＭＭＥは、ネットワーク内のＨＳＳ（ホーム加入者サーバ）サーバ又はＡＡＡ（許可認証アカウンティング）サーバからＭＴＣデバイスのグループに関する情報を取得することができる。それぞれの既存かつ関連のグループごとに、異なるグループＩＤが生成され、そのＩＤはランダムに選択されてもよい。例えば、グループＩＤは７桁を有することができるが、以下に説明するように、そのグループＩＤがＩＭＳＩ又はＳ−ＴＭＳＩの一部として使用されるかどうか並びにいくつの桁がパラメータに使用されるかによって、より少ない桁数又はより多い桁数を有する場合もある。
【０１８５】
ＭＴＣデバイスは、ネットワークへのそれぞれの接続手順中又はトラッキング・エリア更新手順中にそれらに割り当てられたグループＩＤについてＭＭＥによって通知される。例えば、接続手順の接続受諾メッセージ又はＴＡＵ手順のＴＡＵ受諾メッセージは、どちらのメッセージもＭＭＥからＭＴＣデバイスに送信され、ＭＴＣデバイスに割り当てられたグループＩＤを含むことができる。従って、ＭＴＣデバイスは、それが属するグループのグループＩＤを学習する。もう１つの方法としては、すべてのグループＩＤ又は少なくともそのうちのいくつかはすでにＭＴＣデバイス（例えば、ＩＭＳＩと同様にＳＩＭカード内に）及びＭＭＥ内に事前構成される。
【０１８６】
ページングに関して背景技術の項で述べたように、ＵＥ／ＭＴＣデバイスのＩＭＳＩ又はＳ−ＴＭＳＩをページングに使用してもよい。
【０１８７】
図８は、ＩＭＳＩの構造と、輻輳回避のために様々なパラメータをコード化するために疑似ＩＭＳＩとしてどのようにＩＭＳＩを使用できるかを示している。疑似ＩＭＳＩ又は疑似Ｓ−ＴＭＳＩを生成する方法のもう１つの例については図１０及び図１１を参照して以下に提示する。図１０及び図１１の実施形態によれば、疑似ＩＭＳＩ／Ｓ−ＴＭＳＩは、ＭＴＣデバイスに送信すべきグループＩＤ及びパラメータで構成される。例えば、疑似ＩＭＳＩは従来技術のＩＭＳＩのように１５桁を有してもよく、疑似Ｓ−ＴＭＳＩは従来技術のように１０桁を有してもよい。グループＩＤフィールドは、例えば、７桁の長さを有してもよく、それにより疑似Ｓ−ＴＭＳＩのうちの３桁がパラメータ用に残される。
【０１８８】
ＩＭＳＩフォーマットを使用することの利点は、ＩＭＳＩがＳ−ＴＭＳＩより多くの桁を有し、より多くのＭＴＣグループ間を区別することができる。可能であれば、疑似ＩＭＳＩ／Ｓ−ＴＭＳＩ並びに特にグループＩＤは、他のいかなるＵＥ又はＭＴＣデバイスも同じＩＭＳＩ／Ｓ−ＴＭＳＩを持たないように生成しなければならない。
【０１８９】
以下のリストは、代表的な一実施形態を示し、単一のＭＴＣデバイスが属することができるすべてのグループと、それに対応するグループ・ページング・ターゲットＩＤ、この場合は疑似Ｓ−ＴＭＳＩとを示している。また、このリストは、ＭＴＣデバイスの事前構成ＩＭＳＩ（例えば、ＳＩＭカードから）も含む。
−ＩＭＳＩ
−ｐｓ  Ｓ−ＴＭＳＩ−ＡＬＬ＝グループＩＤ（Ａｌｌ）＋パラメータ
−ｐｓ  Ｓ−ＴＭＳＩ−ＧｒＡ＝グループＩＤ（ＧｒＡ）＋パラメータ
−ｐｓ  Ｓ−ＴＭＳＩ−ＧｒＢ＝グループＩＤ（ＧｒＢ）＋パラメータ
−ｐｓ  Ｓ−ＴＭＳＩ−ＡＰＮ１＝グループＩＤ（ＡＰＮ１）＋パラメータ
−ｐｓ  Ｓ−ＴＭＳＩ−ＰＬＭＮ１＝グループＩＤ（ＰＬＭＮ１）＋パラメータ
【０１９０】
グループ「Ａｌｌ」はネットワーク内で登録されたすべてのＭＴＣデバイスを指し、グループＡ「ＧｒＡ」はユーザＡに属するすべてのＭＴＣデバイスを指す。ＭＴＣデバイスはグループＢ「ＧｒＢ」にも属することができ、これは「時間制御」機能に加入したすべてのＭＴＣデバイスを関連付けるものである。更に、グループＩＤ「ＡＰＮ１」は同じアクセス・ポイントＡＰＮ１に接続されるすべてのＭＴＣデバイスを指す。ＭＴＣデバイスが属するＰＬＭＮに基づいて、更に他のグループを形成してもよい。従って、特定の代表的なＭＴＣデバイスは同時に５つの異なるグループに属する。
【０１９１】
複数のグループＩＤ及びその結果のグループ疑似ＩＭＳＩを１つのＭＴＣデバイスに割り当てることによって引き起こされる問題の１つは、ＭＴＣデバイスが疑似ＩＭＳＩごとに個別のページング発生を計算する場合に、ＭＴＣデバイスが複数のページング発生、即ち、複数のページング・フレーム及びページング・オケージョンをモニターする必要があることである。ＭＴＣデバイスは、対応するグループＵＥ＿ＩＤを計算する（従来技術のページングと比較する）ために「グループＩＤ  ｍｏｄ  １０２４」演算を使用することができ、次にこれはページング・フレーム及びページング・オケージョンを決定するために使用される。
【０１９２】
ＭＴＣデバイスによってモニターされたページング・フレーム及びページング・オケージョンがページングされる（即ち、Ｐ−ＲＮＴＩ、ページング無線ネットワーク一時ＩＤがページング発生に含まれる）たびに、ＭＴＣデバイスは対応するページング・メッセージをＰＤＳＣＨ（物理ダウンリンク共用チャネル）から読み取ってデコードするので、この結果、ＭＴＣデバイス内のリソース消費量が増加する。
【０１９３】
第１の態様によれば、この問題は、複数のグループ・ページング発生のうちの１つのみを聴取するようＭＴＣデバイスを構成することによって回避される。これに対応して、グループ・ページング発生の計算は割り当てられたグループＩＤのうちの１つに基づくことができる。ＭＭＥ及びＭＴＣデバイスは、接続又はＴＡＵ手順中に、そのグループのＭＴＣデバイスに関するページング発生を計算するためにグループＩＤのうちのどのＩＤを使用すべきかを交渉する。そして、ＭＴＣデバイスは、合意を得たグループＩＤに基づいて計算されたページング発生のみをモニターする。ＭＭＥは、ｅＮＢにページング・メッセージを送信する時に、ＵＥ＿ＩＤ索引値フィールド内に（合意を得たグループＩＤ  ｍｏｄ  １０２４）の値を含め、ＵＥページングＩＤフィールド内に（ＭＴＣデバイスがページングされるグループのグループＩＤを含む）疑似ＩＭＳＩ／Ｓ−ＴＭＳＩを更に含める。ＭＭＥからページング・メッセージを受信するｅＮＢ（複数も可）は、ＵＥ＿ＩＤ索引値フィールド内のグループＩＤに基づいてページング・フレーム及びページング・オケージョン（サブフレーム）を計算することができ、ＰＤＳＣＨの対応するリソースでＵＥページングＩＤフィールドからグループＩＤをコード化する疑似ＩＭＳＩ／Ｓ−ＴＭＳＩを含むページング・メッセージをブロードキャストする。
【０１９４】
図１２は、５台のＭＴＣデバイスに割り当てられたグループＩＤとその結果のページングの概要を示している。例えば、ＭＴＣデバイス１はグループ１、１１、２１、及び３１に属し、これに対応して、それ自身のＩＭＳＩ１とは別に、グループＩＤ１、１１、２１、及び３１が割り当てられている。図１２に提示されている例の場合、ＭＴＣデバイスは２つのページング発生を聴取し、一方は個々にページングされる場合であり、もう一方はグループのメンバとしてページングされる場合であると仮定する。
【０１９５】
個別ページングの場合、即ち、１台のＭＴＣデバイスのみがページングされる場合、ＭＭＥは、ページング・メッセージのＵＥ＿ＩＤ索引値フィールド内に（ＩＭＳＩ１  ｍｏｄ  １０２４）の値に基づいて計算されたＵＥ＿ＩＤ値を含め、ｅＮＢに送信されたページング・メッセージのＵＥページングＩＤフィールド内にＩＭＳＩ１を含める。これにより、ｅＮＢは受信したページング・メッセージ内のＵＥ＿ＩＤを使用してページング発生を計算し、ＵＥページングＩＤフィールド内にＩＭＳＩ１を含むページング・メッセージを送信する。ＭＴＣデバイスは、そのＩＭＳＩに対応するページング発生（ＩＭＳＩ  ｍｏｄ  １０２４＝ＵＥ＿ＩＤ）を聴取し、ページング・メッセージを受信する。
【０１９６】
グループ・ページングの場合、即ち、特定のグループのすべてのＭＴＣデバイスがページングされる場合、ＭＭＥは、ページング発生を計算するために使用されることがＭＭＥ及びＭＴＣデバイスによって合意に達したグループＩＤを使用する。ＭＭＥは、ＵＥ＿ＩＤ索引値フィールド内の（合意を得たグループＩＤ  ｍｏｄ  １０２４）の値と、ＵＥページングＩＤフィールド内の（ページングされるグループのグループＩＤに基づく）疑似ＩＭＳＩ／Ｓ−ＴＭＳＩ（ＵＥ＿ＩＤ索引値フィールド内の合意を得たグループＩＤとは異なるグループＩＤであってもよい）を有するページング・メッセージを生成する。例えば、ＭＴＣデバイス１の場合、グループ・ページングは合意を得たグループＩＤ２１に基づき、個別ページングはＩＭＳＩ１に基づくものである。ＭＴＣデバイス２の場合、グループ・ページングはグループＩＤ１に基づき、個別ページングはＩＭＳＩ２に基づくものである。
【０１９７】
或いは、個別ページングは、ＩＭＳＩの代わりにグループＩＤに基づいてもよい。前記の場合、ＭＴＣデバイスは２つの異なるページング発生の代わりに１つのページング発生のみを聴取すればよい。ＭＭＥは、ＵＥ＿ＩＤ索引値フィールド内の合意を得たグループＩＤと、ＭＴＣデバイスのＩＭＳＩ又はＵＥページングＩＤフィールド内のページングすべきグループのグループＩＤのいずれかを有するページング・メッセージを送信する。
【０１９８】
本発明の他の実施形態は、以下に説明するように、明示的なグループＩＤ（ＧｒＭＴＣ＿ＩＤと表示される）が決定され、ＭＴＣデバイスに割り当てられるという点で異なる方法で問題を解決する。この明示的なグループＩＤは、特定のグループのメンバについてページング・フレーム及びページング・オケージョンを計算するためにのみ使用される。グループＩＤは、グループを識別し、ページング・メッセージのＵＥページングＩＤフィールド内で使用される。換言すれば、すでに存在するグループＩＤのうちの１つを割り当てる代わりに、事前構成グループＩＤであるＧｒＭＴＣ＿ＩＤが使用される。
【０１９９】
ページングのための明示的なグループＩＤ（ＧｒＭＴＣ＿ＩＤ）は、ＭＭＥ又はネットワーク内の任意の他の適切なエンティティによってネットワーク内で定義された各グループについて生成される。ＧｒＭＴＣ＿ＩＤは、（ＩＭＳＩ  ｍｏｄ  １０２４）によって計算される従来技術のページングにおけるＵＥ＿ＩＤと同様に、［０，１．．．１０２３］という範囲から選択してもよい。有利なことに、ＧｒＭＴＣ＿ＩＤを使用して元のページング目的でページングされる（即ち、起動する）時に、すべてのＭＴＣデバイスが基本的に同時に起動して、輻輳を引き起こすことがないように、ＧｒＭＴＣ＿ＩＤは上記の範囲から均等に選択しなければならない。
【０２００】
ＭＭＥは、（使用可能であれば）ＨＳＳから特定のＭＴＣグループに関するＧｒＭＴＣ＿ＩＤを学習するか又はすでに記憶してもよく、或いは（加入情報、即ち、ＨＳＳで使用可能ではない場合）新しいＧｒＭＴＣ＿ＩＤを生成してもよい。ＭＭＥは、それに応じて接続又はＴＡＵ手順中にＭＴＣデバイスへのＧｒＭＴＣ＿ＩＤの割り当てを実行してもよい。特定のＭＴＣデバイスが属するすべてのグループのＧｒＭＴＣ＿ＩＤをＭＴＣデバイスに割り当てることは可能である。その場合、１つのグループのＭＴＣデバイスは、ＵＥ＿ＩＤ索引値フィールド内のページングすべきグループのＧｒＭＴＣ＿ＩＤと、ＵＥページングＩＤフィールド内の対応するグループＩＤとを含む、ページング・メッセージをＭＭＥ内で生成することにより、容易にページングできる。ページング・メッセージはＭＭＥからｅＮＢに送信され、そこから受信したページング・メッセージ内のＧｒＭＴＣ＿ＩＤに応じてチャネル・リソースでブロードキャストされる。前記グループに属するすべてのＭＴＣデバイスは、ＰＤＳＣＨチャネルの適切なタイミング及びリソースで聴取し、ページング・メッセージを獲得する。同封されたグループＩＤに基づいて、それらは、ページング・メッセージがそれらにアドレス指定されていることを認識し、起動する。
【０２０１】
しかし、前記の場合、ＭＴＣデバイスは、様々なページング発生、即ち、ＧｒＭＴＣ＿ＩＤあたり１つのページング発生をモニターしなければならない。これを回避するために、以下により、特定のＭＴＣデバイスにはそのＭＴＣデバイスの様々なグループのうちの１つのＧｒＭＴＣ＿ＩＤのみが割り当てられると仮定する。
【０２０２】
更に、接続手順（又はＴＡＵ）中に、それぞれのＭＴＣデバイスは、後でページングの際に使用するために、それが属するすべてのグループを識別するグループＩＤ（グループ・ページング・ターゲットＩＤとして使用されるもの）が割り当てられる。そして、それぞれのＭＴＣデバイスはそれがどのグループに属するかを把握し、そのＭＴＣデバイスは、ページング発生を計算するために使用されるＧｒＭＴＣ＿ＩＤ（グループ・ページング・リソース指示として）に基づいてモニターすべきとき（即ち、どのリソースか）も把握する。
【０２０３】
図１３は、５台の代表的なＭＴＣデバイスのグループＩＤと割り当てられたＧｒＭＴＣ＿ＩＤの概要を示している。ＭＴＣデバイス１はグループ１、２、及び３に属するものとし、ＭＴＣデバイス２もグループ１、２、及び３に属し、ＭＴＣデバイス３はグループ２及び３に属し、ＭＴＣデバイス４はグループ１及び２に属し、ＭＴＣデバイス５はグループ３のみに属するとする。
【０２０４】
図１３から明らかなように、ＭＭＥはＭＴＣデバイス１、２、及び４にＧｒＭＴＣ＿ＩＤ１を割り当て、ＭＴＣデバイス３にＧｒＭＴＣ＿ＩＤ２を割り当て、ＭＴＣデバイス５にＧｒＭＴＣ＿ＩＤ３を割り当てている。
【０２０５】
特定のグループのデバイスは、ネットワークへのＲＲＣ接続を確立するようデバイスをトリガするために、ＩＤＬＥ状態からＣＯＮＮＥＣＴＥＤ状態に遷移するものと仮定する。ＭＭＥはまず、ＭＴＣデバイス１、２、及び４である、グループ１のＭＴＣデバイスをページングすることを希望する。従って、ＭＭＥは、ＵＥページングＩＤフィールド内に疑似ＩＭＳＩ／Ｓ−ＴＭＳＩ（グループＩＤ１を含む）を有し、ＵＥ＿ＩＤ索引値フィールド内にＧｒＭＴＣ＿ＩＤ１を有する、ページング・メッセージを生成する。明らかなように、グループ１のすべてのＭＴＣデバイスはＧｒＭＴＣ＿ＩＤ１に基づいて計算されたページング発生を聴取し、ＭＭＥからのページング・メッセージで受信されたＧｒＭＴＣ＿ＩＤ１に基づいてｅＮＢによって計算されたＰＤＳＣＨのリソースでｅＮＢによってブロードキャストされたページング・メッセージを受信する。ｅＮＢによってブロードキャストされたページング・メッセージは、グループＩＤ１を含む疑似ＩＭＳＩ／Ｓ−ＴＭＳＩを含み、ＭＴＣデバイス１、２、及び４はページング・メッセージがそれらにアドレス指定されていることを確認する。従って、これらのデバイスはＩＤＬＥ状態からＣＯＮＮＥＣＴＥＤ状態に遷移する。
【０２０６】
従来技術により知られているページング・メカニズムによりグループ１の３台のＭＴＣデバイスをページングするために、それぞれのＩＭＳＩ（ＭＴＣデバイス１、２、及び４のもの）と、対応するＵＥ＿ＩＤ（ＩＭＳＩに基づいて計算されたもの）とをそれぞれページング・メッセージに含む、３つの個別のページング・メッセージをＭＭＥから送信することが必要であった。従って、本発明の実施形態によりグループ・ページング・メカニズムを使用することにより、１つのページング・メッセージのみが送信されるのでリソースを節約することが可能である。
【０２０７】
次に、グループ２のＭＴＣデバイス、即ち、ＭＴＣデバイス１、２、３、及び４がページングされる。図１３から認識できるように、ＭＴＣデバイスは、２つの異なるページング発生、即ち、ＧｒＭＴＣ＿ＩＤ１に基づくもの（ＭＴＣデバイス１、２、４）と、ＧｒＭＴＣ＿ＩＤ２に基づくもの（ＭＴＣデバイス３）を聴取する。従って、ＭＭＥは２つのページング・メッセージを送信することになる。ページング・メッセージのうちの一方はＵＥ＿ＩＤ索引値フィールド内にＧｒＭＴＣ＿ＩＤ１を含み、もう一方のページング・メッセージはＵＥ＿ＩＤ索引値フィールド内にＧｒＭＴＣ＿ＩＤ２を含む。どちらのページング・メッセージも、ＵＥページングＩＤフィールド内にグループＩＤ２を含む、疑似ＩＭＳＩ／Ｓ−ＴＭＳＩを含む。ｅＮＢ（複数も可）は両方のメッセージを受信し、これに対応して、ＰＤＣＣＨ内のページング・リソースを計算し、どちらもＵＥページングＩＤフィールド内にグループＩＤ２を含む２つのページング・メッセージをＰＤＳＣＨ内でブロードキャストすることになる。
【０２０８】
ＭＴＣデバイス１、２、及び４はＧｒＭＴＣ＿ＩＤ１に基づいてページング発生を聴取し、グループＩＤ２を含む疑似ＩＭＳＩ／Ｓ−ＴＭＳＩを含む対応するページング・メッセージを読み取る。ＭＴＣデバイス３はＧｒＭＴＣ＿ＩＤ２に基づいてページング発生を聴取し、グループＩＤ２を含む疑似ＩＭＳＩ／Ｓ−ＴＭＳＩを有する対応するページング・メッセージを読み取る。ＭＴＣデバイス１、２、３、及び４は、ページング・メッセージの疑似ＩＭＳＩ／Ｓ−ＴＭＳＩ内のグループＩＤ２を、それらが割り当てられているグループＩＤ２と突き合わせ、ＩＤＬＥ状態からＣＯＮＮＥＣＴＥＤ状態に遷移する。
【０２０９】
合計で４つのページング・メッセージが送信されるＩＭＳＩに基づく従来技術の個別ページングと比較して、１つのグループをページングするために２つのページング・メッセージが送信されるが、本発明の実施形態によるグループ・ページングは依然としてコア・ネットワーク内で無線インターフェースによりリソースを節約する。
【０２１０】
ＭＭＥは、グループ３のすべてのＭＴＣデバイス、即ち、３つの異なるページング発生を聴取するＭＴＣデバイス１、２、３、及び５をページングするために３つの異なるページング・メッセージを送信し、即ち、ＭＴＣデバイス１及び２はＧｒＭＴＣ＿ＩＤ１に基づいて計算されたページング発生を聴取し、ＭＴＣデバイス３はＧｒＭＴＣ＿ＩＤ２に基づいて計算されたページング発生を聴取し、ＭＴＣデバイス５はＧｒＭＴＣ＿ＩＤ３に基づいて計算されたページング発生を聴取する。これに対応して、ＭＭＥは、いずれもＵＥページングＩＤフィールドにグループＩＤ３を有する疑似ＩＭＳＩ／Ｓ−ＴＳＭＩを含むが、それぞれＵＥ＿ＩＤ索引値フィールドにＧｒＭＴＣ＿ＩＤ１、２、及び３を含む、３つのページング・メッセージを生成する。ｅＮＢは、３つのページング・メッセージを受信し、グループＩＤ３を有する３つのページング・メッセージを、ＧｒＭＴＣ＿ＩＤに従って異なるチャネル・フレーム／サブフレームでブロードキャストする。
【０２１１】
ＧｒＭＴＣ＿ＩＤ１に関連するページング発生で送信されたページング・メッセージは、対応するページング・フレーム／サブフレームを聴取するＭＴＣデバイス１、２、及び４によって受信される。しかし、ＭＴＣデバイス４は、グループ３に属さず、グループ３にのみアドレス指定されたページング・メッセージ、即ち、ＭＴＣデバイス４が割り当てられていないグループＩＤ３を含むページング・メッセージを無視する。ＭＴＣデバイス１、２、３、及び５はＰＤＳＣＨの異なるリソースで聴取するが、いずれもグループ３にアドレス指定された同じページング・メッセージを受信する。これにより、ＭＴＣデバイス１、２、３、及び５はＩＤＬＥ状態からＣＯＮＮＥＣＴＥＤ状態に遷移する。
【０２１２】
この場合も、３つのグループの４つのメンバについて４つのページング・メッセージを送信したと思われる従来技術のページング・メカニズムと比較してリソースが節約される。
【０２１３】
本発明のグループ・ページングを実行することによって達成される、少ないページング・メッセージを送信することの利点は、当然、グループに属するＭＴＣデバイスの数につれて大きくなる。
【０２１４】
一般に、ＭＭＥはすべてのＵＥ並びに対応するグループ・ページング・ターゲットＩＤ及びＧｒＭＴＣ＿ＩＤに関する情報を有する。従って、ＭＭＥは、特定のグループのすべてのＭＴＣデバイスに到達するためにいくつのページング・メッセージを送信すべきかを決定してもよい。これは、基本的に、前記特定のグループのＭＴＣデバイスによっていくつの異なるページング発生が使用されるかによって決まる。
【０２１５】
図１３に示されている代表的な実施形態では、グループ・ページングは固定ＧｒＭＴＣ＿ＩＤに基づいて計算されたページング発生に基づくものであり、個別ページングはＭＴＣデバイスのＩＭＳＩに基づいて計算されたページング発生に基づくものである。従来技術と同様に、ＭＭＥが１つのＭＴＣのみをページングすることを希望する場合、それは、ページング・メッセージのＵＥ＿ＩＤ索引値フィールド内にＵＥ＿ＩＤ（＝ＩＭＳＩ  ｍｏｄ  １０２４）を含み、ＵＥページングＩＤフィールド内にＩＭＳＩを含むページング・メッセージを生成する。このページング・メッセージはｅＮＢに送信され、次に無線インターフェースによりｅＮＢによってブロードキャストされる。しかし、不利な点は、ＭＴＣデバイスが２つのページング発生をモニターしなければならず、従って、ＭＴＣデバイス内のリソース（例えば、バッテリ）消費量が増加することである。
【０２１６】
本発明の他の一実施形態によれば、ＧｒＭＴＣ＿ＩＤを個別ページング及びグループ・ページングに使用することができる。個別ページングの場合、特定のＭＴＣデバイスのＩＭＳＩがＭＭＥによってページング・メッセージのＵＥページングＩＤフィールド内に含まれ、グループ・ページングの場合、関連グループのグループ・ターゲットＩＤがページング・メッセージのＵＥページングＩＤフィールド内に含まれる。どちらの場合も、割り当てられたＧｒＭＴＣ＿ＩＤはＵＥ＿ＩＤ索引値フィールド内に含まれる。個別ページング並びにグループ・ページングにＧｒＭＴＣ＿ＩＤを使用することは、ＭＴＣデバイスが２つのページング発生の代わりに１つのページング発生のみをモニターしなければならず、それによりＭＴＣデバイス内の電力が節約されるという利点を有する。
【０２１７】
ＭＭＥは、ＭＴＣデバイス（例えば、ＩＭＳＩ）とＭＴＣデバイスのグループとそれぞれのＭＴＣデバイスのＧｒＭＴＣ＿ＩＤとの関連づけを記憶するものとする。従って、ＭＭＥは、特定のＭＴＣデバイスがページングされる時に、ページング・メッセージを生成することができる。
【０２１８】
一般に、ページング・メッセージは、ＵＥ＿ＩＤ索引値フィールド内に１つの値（例えば、ＧｒＭＴＣ＿ＩＤ）と、ＵＥページングＩＤフィールド内に１つの値（例えば、グループＩＤを有するＩＭＳＩ又は疑似ＩＭＳＩ／Ｓ−ＴＭＳＩ）のみを含む。しかし、本発明によれば、１つのページング・メッセージは複数のＭＴＣデバイスをアドレス指定することができる。
【０２１９】
本発明の上記の各実施形態では、ページング・メッセージは、複数のＭＴＣデバイスのグループ又は特定のＭＴＣデバイスをページングするために、即ち、ＭＴＣデバイスがＩＤＬＥ状態からＣＯＮＮＥＣＴＥＤ状態に遷移するようにデバイスを起動するために使用される。しかし、上記の各実施形態と同様に、ページング・メッセージは、１つのグループの複数のＭＴＣデバイスに特定の構成パラメータを提供するために使用されてもよい。図１０及び図１１に関連してすでに説明したように、パラメータは、それぞれのＭＴＣグループについて生成された疑似ＩＭＳＩ／Ｓ−ＴＭＳＩ内にコード化される。
【０２２０】
一般に、疑似ＩＭＳＩ／Ｓ−ＴＭＳＩ内にコード化されたパラメータは、特定のグループのＭＴＣデバイス内で適合させる任意の構成に関連する。アクセス制限の場合、疑似ＩＭＳＩ／Ｓ−ＴＭＳＩ内にコード化されたパラメータは、例えば、バックオフ時間によって示された範囲内のランダムに選択された値だけネットワークへの任意の信号の送信を延期することをＭＴＣデバイスに通知するために、バックオフ時間を指してもよい。また、バックオフ時間は、ページングされた後で任意の信号の送信前にＭＴＣデバイスが待たなければならない最小時間として使用してもよい。
【０２２１】
パラメータが３桁でコード化される代表的な実施形態では、１桁目は時間フォーマット、即ち、秒、分、又は時間をコード化することができる。２桁目及び３桁目は、［００，０１，０２．．．６０］又は［００，０１，０２．．．９９］という範囲内の値をコード化する。一例として、１桁目の値は、秒の場合は「１」、分の場合は「２」、時間の場合は「３」になるようにコード化される。その場合、「１４５」というバックオフ時間値は４５秒を意味し、２２０というバックオフ時間値は２０分を意味する。
【０２２２】
当然のことながら、バックオフ時間をパラメータとして使用することは一例に過ぎず、当業者であれば、ＭＴＣデバイス内に構成すべき任意の適切なパラメータをコード化することができる。例えば、上記の各実施形態に対応して、パラメータは増加した衝突確率及び／又はデバイスの数を示してもよい。例えば、パラメータの数字は、ネットワークにデータ／信号を送信するための確率値（制限係数（restriction factor）ともいう）をコード化してもよい。制限係数が例えば０．９である場合、ＭＴＣデバイスは、制限を適用せずに送信することを希望するそのデータ／信号のうちの１０％のみを送信することができる。この制限係数は、ある意味で、３ＧＰＰ  ＴＳ３６．３３１に記載されているアクセス・クラス・ベアリング機能で使用される、いわゆる「ベアリング係数（baring factor）」として適用されてもよい。
【０２２３】
一般に、多数のＭＴＣデバイスがネットワークへの信号送出を開始する時に輻輳を回避するために、パラメータは上述のバックオフ時間のようなアクセス制限を示さなければならない。その他のアクセス制限パラメータは、最大数のベアラ、ＡＰＮあたりの接続、又は制限されたアップリンク・データ速度であってもよい。
【０２２４】
更に、パラメータは、３桁を含むだけでなく、より多くの桁数で構成されてもよく、従って、より多くのパラメータ又はより詳細なパラメータをコード化することができる。
【０２２５】
より詳細には、図１０又は図１１の疑似ＩＭＳＩ又は疑似Ｓ−ＴＭＳＩがページング・メッセージのＵＥページングＩＤフィールドで使用される場合、前記ページング・メッセージを受信するＭＴＣデバイスは、直ちにＩＤＬＥ状態からＣＯＮＮＥＣＴＥＤ状態に遷移せずに、その代わりに疑似ＩＭＳＩ／Ｓ−ＴＭＳＩにコード化されたパラメータを採用する。
【０２２６】
起動機能とパラメータ構成とを区別するために、ＭＴＣデバイスが起動しなければならないか又はコード化されたパラメータ（複数も可）を採用しなければならないかを判断できるように、疑似ＩＭＳＩ／Ｓ−ＴＭＳＩを特別にセットアップすることができる。例えば、グループのＭＴＣデバイスが起動しなければならない場合、バックオフ時間をゼロに設定することができる（即ち、パラメータ値の２桁目及び３桁目を「０」にセットアップする）。バックオフ時間が非ゼロ値を有する場合、ＭＴＣデバイスは、ＣＯＮＮＥＣＴＥＤ状態に変化せずに、単にその非ゼロ・パラメータを採用することになる。従って、疑似ＩＭＳＩ／Ｓ−ＴＭＳＩ内のグループＩＤはどちらの場合も同じであるが、パラメータ設定は異なっている。
【０２２７】
一般的に言うと、疑似ＩＭＳＩ／Ｓ−ＴＭＳＩのパラメータ部分の構成は、必要なアクションについて、即ち、グループ・ページングを実行すべきか又はパラメータを採用すべきかについて、ＭＴＣデバイスに通知する。
【０２２８】
或いは、パラメータのコード化に使用されるグループＩＤと比較して、異なる固有の疑似ＩＭＳＩ又は疑似Ｓ−ＴＭＳＩ（異なる固有のグループＩＤ）をグループ・ページングに使用してもよい。より詳細には、２つの異なるグループＩＤをグループごとに指定できる。第１のものは、対応するグループのすべてのＭＴＣデバイスが起動してＣＯＮＮＥＣＴＥＤ状態に遷移する時に使用される。ＭＴＣデバイスは、ページング・メッセージを読み取って、ページング・メッセージのＵＥページングＩＤフィールド内のグループＩＤをそれ自身のグループＩＤと照らし合わせてチェックする時に、それが起動するよう要求されていることを推測する。これに対して、グループＩＤがパラメータ構成を指す場合、ＭＴＣデバイスは、そのグループＩＤと内部に記憶されたグループＩＤとを突き合わせることにより、これを学習し、その後、起動する代わりに、ＭＴＣデバイスは疑似ＩＭＳＩ／Ｓ−ＴＭＳＩにコード化されたパラメータ（複数も可）を採用することになる。
【０２２９】
一度にページングしなければならないＭＴＣグループが多数ある場合、ＭＭＥはそれぞれのＭＴＣグループごとにページング・メッセージを送信しなければならず、その結果、ＭＭＥとＭＴＣデバイスとの間に大量のトラフィックが発生する。それぞれのページング・メッセージをＭＭＥからｅＮＢで受信すると、無線インターフェース（Ｕｕ）に少なくとも１つのページング・メッセージが発生する。加えて、ページング手順ではいかなるＡｃｋ／Ｎａｃｋメカニズムも使用可能ではないので、通常、ｅＮＢは無線インターフェースによりページング・メッセージを再送信し、ＵＥ（ＭＴＣデバイス）が確かにページングを受信することを確認する。従って、無線インターフェースによるページング・メッセージの数は、ＭＭＥとｅＮＢ（複数も可）との間のコア・ネットワーク内のページング・メッセージの数より数倍大きくなる。
【０２３０】
図１４は、代表的なネットワーク配備と、その結果、形成され得る代表的なグループを開示している。いくつかのＭＴＣデバイスが３つの異なるｅＮＢ１〜３に接続し、そのｅＮＢはいずれも１つのアクセス・ポイント名（ＡＰＮ）を有する同じアクセス・ポイント又は同じパケット・データ・ネットワーク・ゲートウェイ（ＰＧＷ）に接続していると仮定する。これにより、３つの個別のｅＮＢグループを定義することができ、１つのＡＰＮ／ＰＧＷグループはこの３つのグループのすべてのＭＴＣデバイスを含む。このＡＰＮ／ＰＧＷグループはより高いレベルの基準を有するグループと見なすことができる。ＭＴＣグループをグループ化するためのより高いレベルの基準は、例えば、ＭＴＣグループが接続される同じＡＰＮ又はＰＧＷ、或いはＭＴＣグループが属する同じＰＬＭＮ、或いは同じＭＴＣ機能、或いは任意のその他の適切な基準にすることができる。
【０２３１】
図１４の配備は、代表的なものに過ぎず、例示のために複雑さが低減されている。
【０２３２】
図１４の代表的な実施形態では、それぞれのｅＮＢグループのＭＴＣデバイス或いは単純にＡＰＮ／ＰＧＷに接続したすべてのＭＴＣデバイスを別々にページングすることが可能である。ＭＭＥは、ｅＮＢ１〜３用のグループＩＤと、ＡＰＮ／ＰＧＷグループ用のグループＩＤを保持する。更に、上記の各実施形態により、ＭＭＥは、すべてのグループ、即ち、ｅＮＢグループ１〜３及びＡＰＮ／ＰＧＷグループ用のＧｒＭＴＣ＿ＩＤも記憶する。
【０２３３】
ｅＮＢ１に接続したＭＴＣデバイスにはＧｒＭＴＣ＿ＩＤ＿ｅ１が割り当てられ、ｅＮＢ２に接続したＭＴＣデバイスにはＧｒＭＴＣ＿ＩＤ＿ｅ２が割り当てられ、ｅＮＢ３に接続したＭＴＣデバイスにはＧｒＭＴＣ＿ＩＤ＿ｅ３が割り当てられていると仮定する。従って、一度に３つのグループすべてをページングするために、それぞれページング・メッセージのＵＥページングＩＤフィールド内のグループＩＤとＵＥ＿ＩＤ索引値フィールド内のＧｒＭＴＣ＿ＩＤとを含む、３つの異なるページング・メッセージをＭＭＥにより送信することが必要になる。
【０２３４】
或いは、３つのグループのすべてのＭＴＣデバイスにＧｒＭＴＣ＿ＩＤ＿ＡＰＮが割り当てられる場合、ページング・メッセージのＵＥ＿ＩＤ索引値フィールド内のＧｒＭＴＣ＿ＩＤ＿ＡＰＮとＵＥページングＩＤフィールド内のグループＩＤ  ＡＰＮ（例えば、疑似ＩＭＳＩ／Ｓ−ＴＭＳＩ内）を含む、１つのページング・メッセージのみがＭＭＥによって送信される。すべてのＭＴＣデバイスはＧｒＭＴＣ＿ＩＤ＿ＡＰＮに基づいて計算された同じページング発生を聴取するので、すべてのＭＴＣデバイスはページング・メッセージを受信し、起動するか又はパラメータを採用する。従って、３つのページング・メッセージを送信する代わりに、１つのページング・メッセージのみがＭＭＥ及びｅＮＢから送信され、それにより、すべてのＭＴＣデバイスに到達する。
【０２３５】
他の例では、１０００個のＭＴＣグループが５０個のＡＰＮに接続し、ネットワークがすべてのＭＴＣデバイス、即ち、すべてのＭＴＣグループを制限することを希望する場合、ＭＭＥは１０００個のページング・メッセージの代わりに５０個のページング・メッセージのみをそれぞれのｅＮＢに送信する必要がある。その場合、再送信による無線インターフェース上のページング・メッセージの増加を考慮に入れると、相当なページングの負担を省くことができる。もう１つの利点は、この階層グループ化の単純な実装である。
【０２３６】
すべてのＭＴＣデバイスが同じページング発生を聴取することの不利な点は、すべてのＭＴＣデバイスがページングされた時に同時にネットワークとの信号送信を開始することになることであり、これは多数のＭＴＣデバイスの場合に特に問題である。また、バックオフ時間を有するＭＴＣデバイスにアクセス制限が適用される場合、そのデバイスはいずれもバックオフ時間が切れた後に信号送出を開始することになり、従って、この場合も輻輳が発生する可能性がある。従って、ページング発生を均等に分散し、ＭＭＥによって送信されるページング・メッセージの数を更に低減することが有利になる。
【０２３７】
本発明の他の代替的な一実施形態は、ページング・メッセージに関してｅＮＢ内の再送信メカニズムを活用することにより、この目的を解決する。上記ですでに説明したように、ｅＮＢは、ＭＴＣデバイスがページングを受信することを確認するために、無線インターフェースにより同じページング・メッセージを数回再送信するための再送信メカニズムを実装する。ｅＮＢによる再送信のタイミングは、ＭＴＣデバイスが聴取するページング・フレーム及びページング・オケージョンに応じて調整される。換言すれば、ｅＮＢによる再送信は、ページング・メッセージを聴取するためにＭＴＣデバイスによって使用されるＤＲＸサイクルに応じて定期的に実行される。
【０２３８】
背景技術の項で説明したように、ページング・サイクルともいうＤＲＸサイクルは、特定のＵＥ又はＭＴＣデバイスについてページング・オケージョンをモニターする時間間隔を表している。通常、ページング・サイクルはＭＴＣデバイス及びｅＮＢについて同じであり、従って、ページング・メッセージの送信及び受信は同期される。
【０２３９】
本発明の一実施形態によれば、ｅＮＢグループ１、２、及び３のＭＴＣデバイスをページングするために、ページング・メッセージの１回目の送信が、例えば、ｅＮＢグループ１のＭＴＣデバイスによって受信され、ページング・メッセージの１回目の再送信（２回目の送信）がｅＮＢグループ２のＭＴＣデバイスによって受信され、ページング・メッセージの２回目の再送信（合計でページング・メッセージの３回目の送信）がｅＮＢグループ３のＭＴＣデバイスによって受信されるように、３つのグループのページング発生を決定しなければならない。より一般的に言うと、すべてのグループのページング発生は、そのグループのうちのいくつかがページング・メッセージの再送信を受信するように決定してもよい。
【０２４０】
より詳細には、本発明の実施形態の以下の代表的な例示において、ＭＴＣデバイスの３つのｅＮＢグループにはそれぞれ、ＧｒＭＴＣ＿ＩＤ＿ｅ１、ｅ２、及びｅ３が割り当てられていると仮定する。ＧｒＭＴＣ＿ＩＤ＿ｅ１は一例として、説明のためにページング・フレーム番号１００に対応する１００に設定される。ＧｒＭＴＣ＿ＩＤ＿ｅ２は１６４に設定され、ＧｒＭＴＣ＿ＩＤ＿ｅ３は２２８に設定される。
【０２４１】
更に、ｅＮＢ用のＤＲＸサイクル、即ち、ＭＭＥからページング・メッセージ内で送信されるＤＲＸサイクルは６４に設定され、ＭＴＣデバイス用のＤＲＸサイクルは１９２、即ち、３×６４になるように事前に構成されている。
【０２４２】
これに対応して、ｅＮＢグループ１のＭＴＣデバイス（図１５、図１６にはＭＴＣｇｒ１として表示されている）は、ｅＮＢグループ１のＭＴＣデバイスのページング・サイクルである１９２という定期的間隔でページング・フレーム１００、２９２、４８４などを聴取する。ｅＮＢグループ２のＭＴＣデバイス（ＭＴＣｇｒ２として表示されている）は、この場合もページング・サイクルの間隔で、ページング・フレーム１６４、３５６、５４８などを聴取する。ｅＮＢグループ３のＭＴＣデバイス（ＭＴＣｇｒ３として表示されている）は、ページング・フレーム２２８、４２０、６１２などを聴取する。明らかなように、ＭＴＣデバイスは、１９２という同じＤＲＸサイクルに基づき、それぞれ異なるＧｒＭＴＣ＿ＩＤに基づいて、定期的ページング発生を計算する。
【０２４３】
３つのｅＮＢグループのＭＴＣデバイスをページングするために、ＭＭＥは、ＵＥページングＩＤフィールド内のグループＩＤ  ＡＰＮ（例えば、図１５に示されているように疑似Ｓ−ＴＭＳＩ内）とＵＥ＿ＩＤ索引値フィールド内のＧｒＭＴＣ＿ＩＤ＿ｅ１を含むメッセージを生成する。更に、ページング・メッセージは、６４としてｅＮＢ用のＤＲＸサイクル・パラメータを含む。
【０２４４】
ページング・メッセージは、ページング・メッセージ内に示される６４というページング・サイクルを使用して、ページング・フレーム１００になるようにページング発生を計算するｅＮＢ（複数も可）によって受信される。
【０２４５】
より詳細には、ｅＮＢは以下の式を使用して、以下のようにページング・フレームを計算する。
【数１１】
2013524563.tif 000014
上記の計算のために、
【数１２】
2013524563.tif 000015
というパラメータが仮定される。
【０２４６】
上記の式でこれらのパラメータを使用すると、ＰＦ＃  ｍｏｄ  ６４＝１＊３６になり、その結果、ページング・フレームは１００＋ｆ＊６４になり、ここで、ｆ＝０，１，２，３．．．［１００，１６４，２２８．．．］である。
【０２４７】
それにより、ｅＮＢは、対応するＵＥページングＩＤフィールド内に疑似Ｓ−ＴＭＳＩ（グループＩＤ  ＡＰＮを含む）を含む第１のページング・メッセージを生成し、ＰＤＳＣＨの計算された無線リソース、即ち、ページング・フレーム１００でこれをブロードキャストする。ｅＮＢグループ１のＭＴＣデバイスは、これらに割り当てられたＧｒＭＴＣ＿ＩＤ＿ｅ１のためにページング・フレーム１００を聴取する。
【０２４８】
ＭＴＣデバイスは、モニターすべきページング・フレーム（複数も可）を計算するために、Ｔ＝ＤＲＸ＿ｃｙｃｌｅ＝１９２、ｎＢ＝１＊Ｔ、ＵＥ＿ＩＤ＝ＧｒＭＴＣ＿ＩＤ＝１００というパラメータを使用して、ｅＮＢと同様の計算を実行する。
【０２４９】
上記の式でこれらのパラメータを使用すると、ＰＦ＃  ｍｏｄ  １９２＝１＊１００になり、その結果、ページング・フレームは１００＋ｆ＊１９２になり、ここで、ｆ＝０，１，２，３．．．［１００，２９２．．．］である。
【０２５０】
ｅＮＢグループ１のＭＴＣデバイスは、そのグループＩＤのすべてに対してグループＩＤ  ＡＰＮを突き合わせ、突き合わせが成功したので、ページング・メッセージがそれらにアドレス指定されていることを推測する。これにより、それらのデバイスは起動するか又はパラメータを採用し、これは任意でグループＩＤ  ＡＰＮとともに疑似Ｓ−ＴＭＳＩでコード化される。
【０２５１】
図１６は、ｅＮＢによって実行されたページング・メッセージの送信及び再送信のタイミングを示し、３つのサーバ・グループ１、２、及び３のそれぞれに関するページング発生（この場合、例示のためにページング・フレームＰＦのみ）も示している。ｅＮＢは次に起こり得るページング発生でページング・メッセージを再送信し、これは、ページング・フレーム１６４であり、即ち、実際のページング・メッセージのページング・フレームからページング・フレーム（ＤＲＸサイクル）６４個分後である（ｅＮＢに関する上記の計算を参照）。
【０２５２】
ＧｒＭＴＣ＿ＩＤ＿ｅ２は意図的に１６４に設定されている、即ち、ページング・メッセージの１回目の再送信のためにｅＮＢによって使用されるタイミングと一致するので（計算はグループ１について示されているものと同様である）、ｅＮＢグループ２のＭＴＣデバイスはページング・フレーム１６４を聴取する。これにより、ｅＮＢグループ２のデバイスはページング・メッセージを読み取り、（グループＩＤ  ＡＰＮに基づいて）それがそのデバイスにアドレス指定されていることを確認し、起動するか又は疑似Ｓ−ＴＭＳＩにコード化された任意のパラメータ（複数も可）を採用することになる。
【０２５３】
更にページング・フレーム６４個分後、即ち、ｅＮＢグループ３のＭＴＣデバイスによってモニターされたページング発生と一致するページング・フレーム２２８で（ＧｒＭＴＣ＿ＩＤ＿ｅ３＝２２８）、ページング・メッセージの更に２回目の再送信がｅＮＢによって実施される。ｅＮＢグループ３のこれらのＭＴＣデバイスは、それ自身のものとしてグループＩＤ  ＡＰＮを識別し、起動するか又は疑似Ｓ−ＴＭＳＩ内の任意のパラメータ（複数も可）を採用することになる。
【０２５４】
上記の実施形態から明らかなように、ページング・メッセージが第１のグループのＭＴＣデバイスによって正しく受信されたことを確認するためにページング・メッセージの再送信を使用する代わりに、再送信は、その他のグループのＭＴＣデバイスのページング発生に合わせて調整される。加えて、すべてのグループを同時にアドレス指定する、より高い基準のグループＩＤがページング・メッセージに含まれる場合、対応する再送信によってＭＭＥから１つのページング・メッセージと基本的にｅＮＢから１つのみを送信するだけで、リソースを節約することが可能である。
【０２５５】
これを達成するために、ｅＮＢによって使用されるＤＲＸサイクルはＭＴＣデバイスによって使用されるＤＲＸサイクルより短い。より具体的には、ＭＭＥが複数のＭＴＣグループにアドレス指定することを希望し、１つのページング・メッセージがＵｕインターフェースにより２回再送信されると仮定すると、最高３つまでのＭＴＣグループをページングすることができる。前記の目的のために、３つのＭＴＣグループのページング発生間、即ち、ページング・フレーム及びページング・オケージョン間の距離は厳密にｅＮＢ用に構成されたＤＲＸサイクルである。換言すれば、３つの異なるＭＴＣグループは連続するＧｒＭＴＣ＿ＩＤを有し、その距離は厳密にＭＭＥからのページング・メッセージでｅＮＢに対して示されたＤＲＸサイクルである。ＭＭＥからｅＮＢへのページング・メッセージ内のＤＲＸサイクルは、ＭＴＣデバイスに割り当てられたＤＲＸサイクルを、Ｕｕインターフェースによるページング・メッセージの送信回数（ｔｘ−ｔｏｔａｌと表示される）で割った数に等しく、即ち、ＤＲＸ＿ｃｙｃｌｅ＿ｅＮＢ＝ＤＲＸ＿ｃｙｃｌｅ＿ＭＴＣ／ｔｘ−ｔｏｔａｌになる。
【０２５６】
図１５及び図１６を参照して説明したように本発明の実施形態によって提供される利点の１つは、少数のＭＴＣグループ（その数はｅＮＢによる１つのページング・メッセージの送信回数に対応する）では、より高いレベルのグループを形成するためにアグリゲート（集合）できる。図１５及び図１６の説明例では、３つのｅＮＢグループがＡＰＮ用のグループにアグリゲートされている。しかし、その場合、より低いレベルのグループ用に計算されたページング発生に対し、より高いレベルのグループのグループＩＤを使用することにより、リソースを節約することができる。
【０２５７】
図１７及び図１８は、図１５及び図１６に関して説明したものと同様の本発明の一実施形態を示しているが、ＭＭＥから送信された１つのメッセージのみを使用して４つの異なるグループがページングされるという点で異なっている。この場合も、ｅＮＢ用のＤＲＸサイクルは６４として示されているが、（３つの代わりに）４つのグループがページングされるので、ＭＴＣデバイス用のＤＲＸサイクルは２５６＝４×６４（又は２５００個のサブフレーム）である。ページング・メッセージの１回目の送信と３回の再送信のためのページング・フレームは、図１８に示されているように、１００、１６４、２２８、及び２９２であり、これは４つのグループにおけるページング発生と一致する。
【０２５８】
図１９は、単一のＡＰＮ／ＰＤＮ−ＧＷに接続する様々なｅＮＢに接続した様々なＭＴＣを示している。ＭＴＣデバイスはそれぞれサーバ１及びサーバ２から／へデータを受信／送信すると仮定する。図１９から明らかなように、ｅＮＢ１に接続した２台のＭＴＣデバイスとｅＮＢ２に接続した１台のＭＴＣデバイスはサーバ１とデータを交換する。残りのＭＴＣデバイスはサーバ２からデータを受信する。３つのグループが形成され、それぞれのサーバについてそれぞれ１つずつと、ＡＰＮについて１つのグループ、即ち、ＡＰＮ／ＰＧＷに接続したすべてのＭＴＣデバイスを含むグループである。
【０２５９】
ページング・メッセージについてモニターされるページング発生を計算するために、サーバ・グループ１に属するＭＴＣデバイスにはＧｒＭＴＣ＿ＩＤ  ｓ１が割り当てられ、サーバ・グループ２に属するＭＴＣデバイスにはＧｒＭＴＣ＿ＩＤ  ｓ２が割り当てられる。図１５〜図１８に関して説明した各実施形態と同様に、ＧｒＭＴＣ＿ＩＤ  ｓ１及びＧｒＭＴＣ＿ＩＤ  ｓ２は、ＧｒＭＴＣ＿ＩＤ  ｓ１に関するページング・メッセージの再送信が、ＧｒＭＴＣ＿ＩＤ  ｓ２に基づいて計算されたページング発生でＭＴＣデバイスによって受信されるように決定される。特に、ＧｒＭＴＣ＿ＩＤ  ｓ１は１００であり、ＧｒＭＴＣ＿ＩＤ  ｓ２は１６４であると仮定する。ＭＴＣデバイスのＤＲＸサイクルは１２８個のページング・フレームであってもよく、ｅＮＢによって使用されるページング・サイクルは、ＧｒＭＴＣ＿ＩＤ  ｓ１とＧｒＭＴＣ＿ＩＤ  ｓ２との差に合わせて調整されるように６４でなければならない。
【０２６０】
ＡＰＮ／ＰＧＷ（即ち、両方のサーバ・グループ）のグループに属するＭＴＣデバイスがページングされると仮定する。前記の点について、ＭＭＥは、ＵＥ＿ＩＤ索引値フィールド内のＧｒＭＴＣ＿ＩＤ＿ｓ１＝１００とＵＥページングＩＤフィールド内のＡＰＮに関するグループＩＤとを含むページング・メッセージを生成し送信する。ページング・メッセージは、使用すべきＤＲＸサイクルが６４でなければならないことをｅＮＢに対して更に示す。
【０２６１】
それぞれのｅＮＢに対してＭＭＥによってそれぞれ１つのメッセージが送信される。ｅＮＢは、ＧｒＭＴＣ＿ＩＤ  ｓ１に基づいてチャネル・リソースを計算し、次に計算されたリソースで、即ち、ページング・フレーム１００でページング・メッセージを送信する。サーバ・グループ１に属し、ＧｒＭＴＣ＿ＩＤ  ｓ１が割り当てられているＭＴＣデバイスは、適切なチャネル・リソースをモニターし、ページング・メッセージを受信する。グループＩＤ  ＡＰＮは割り当てられたグループＩＤのうちの１つと一致するので、これらのＭＴＣデバイスは起動する。
【０２６２】
ｅＮＢは、ＧｒＭＴＣ＿ＩＤ  ｓ２に基づいて計算されたチャネル・リソースと一致するチャネル・リソースでページング・サイクル後に同じページング・メッセージを再送信する。従って、再送信されたページング・メッセージは、サーバ・グループ２に属するＭＴＣデバイスによって受信され、そのページング・メッセージがグループＩＤ  ＡＰＮにアドレス指定されているので、起動する。
【０２６３】
本発明の他の実施形態では、種々のＭＴＣグループがまとめてクラスタ化される。例えば、ＡＰＮ＿１に属する１１個のＭＴＣグループが存在する場合、これらのＭＴＣグループは３つのクラスタにグループ化することができ、第１のクラスタはＭＴＣグループ１〜４、第２のクラスタはＭＴＣグループ５〜８、第３のクラスタはＭＴＣグループ９〜１１を含む。クラスタに関するページング発生の構成は、図１７及び図１８で説明した通り、すでに実行されたように実行することができる。第１のクラスタのＭＴＣグループにはそれぞれ、ＧｒＭＴＣ＿ＩＤ  １００、１６４、２２８、及び２９２が割り当てられる。次に、第２のクラスタのＭＴＣグループにはＧｒＭＴＣ＿ＩＤ  １０２、１６６、２３０、及び２９４を割り当てることができ、第３のクラスタのＭＴＣグループにはＧｒＭＴＣ＿ＩＤ  １０４、１６８、及び２３２を割り当てることができる。
【０２６４】
前記の場合、ＭＭＥは、クラスタあたり１つのページング・メッセージ、即ち、３つのページング・メッセージをｅＮＢに送信しなければならない。例えば、第１のクラスタに関するページング・メッセージは、第１のクラスタ用のグループＩＤと、前記第１のクラスタ内の第１のＭＴＣグループのＧｒＭＴＣ＿ＩＤ、即ち、ＧｒＭＴＣ＿ＩＤ  １００とを含む。
【０２６５】
本発明の上記の各実施形態では、ＧｒＭＴＣ＿ＩＤがＭＴＣグループごとにネットワーク（例えば、ＭＭＥ）によって計算され、それが接続手順中にＭＴＣデバイスに割り当てられることが提案されている。ＧｒＭＴＣ＿ＩＤは半静的なものにすることができ、即ち、いったん計算されると、長い期間、例えば、数日、数週間、又は数ヶ月の間、変更されない。また、ＧｒＭＴＣ＿ＩＤは動的なものにすることもでき、より頻繁に変更されてもよい。前記の場合、ＧｒＭＴＣ＿ＩＤはＴＡＵ手順中に付加的に更新されてもよい。
【０２６６】
都合よく、ＭＴＣデバイスのＧｒＭＴＣ＿ＩＤは、通常のＵＥのＵＥ＿ＩＤとして使用されない値を持たなければならない。しかし、ＵＥ  ＩＤが１０２４個のとり得る値をすべて占有する可能性が非常に高いので、これは起こりそうなことではない。いずれにしても、それが起こり得る場合、ＭＴＣデバイスのＧｒＭＴＣ＿ＩＤは、通常のＵＥのＵＥ  ＩＤがあまり位置しないエリア内で選択しなければならない。
【０２６７】
本発明の様々な実施形態に記載されたグループ・ページング手法とアクセス・ベアリング手法（ＡＣＢ）との間でより適切な協調を達成するために、ネットワークは、ＭＴＣデバイスに関するアクセス制限が必要であることをネットワークが検出した後で本発明のグループ・ページングを適用してもよい。その後、ネットワークは、ＡＣＢ手法を適用するために、ブロードキャストされたシステム情報（ＳＩＢ）の更新を開始してもよい。
【０２６８】
ＭＴＣデバイスがＳＩＢでブロードキャストされたネットワーク・アクセス制限を検出すると、ＭＴＣデバイスは、グループ・ページング手法によって示されたパラメータの代わりに、ＳＩＢで示された制限パラメータを適用してもよい。換言すれば、ＡＣＢ手法は本発明のグループ・ページング・メカニズムより優先順位が高いことが提案されている。或いは、グループ・ページング手法の方が優先順位が高い場合もあれば、ネットワークによってこれらの手法の優先順位を動的に構成することもできる。
【０２６９】
非接続（non-attached）とも呼ばれる、デタッチされたＭＴＣデバイスは、オンにすることが可能な無線インターフェースを備えたＭＴＣデバイスであるが、それらは、ＲＲＣ接続確立を開始せずにブロードキャスト信号を聴取しているだけである。このようなデタッチされたＭＴＣデバイスは、登録されないので、通常、ネットワークによって把握されない。これらの非接続ＭＴＣデバイスは、数千台又は数百万台のデバイスによって一度に開始された同時接続手順により重大な信号送出過負荷を引き起こす可能性がある。従って、ＩＤＬＥモード又はＣＯＮＮＥＣＴＥＤモードのＭＴＣデバイスと同様に非接続ＭＴＣデバイスの信号送出を制限又は防止することも重要になる。
【０２７０】
これは、従来技術のアクセス・クラス・ベアリング手法によって実行されてもよい。ＭＴＣデバイスは、接続手順を開始する前にＳＩＢ２情報を読み取らなければならない。非接続ＭＴＣデバイスがベアリングされた場合、それらはベアリング係数及びベアリング時間というパラメータに応じてネットワークにアクセスすることができる。しかし、ＡＣＢ手法は速度の遅い解決策であるので、グループベースのページング手法を非接続ＭＴＣデバイスに適用するための本発明の他の一実施形態について以下に提示する。
【０２７１】
通常、非接続ＭＴＣデバイスは、ページング・フレーム及びサブフレームを聴取しないように構成される。これにより、ＭＭＥは、通常、非接続ＵＥ及びＭＴＣデバイスにページング・メッセージを送信しない。本発明の一実施形態によれば、非接続ＭＴＣデバイスは、ページング発生（ページング・フレーム及びページング・サブフレーム）をモニターできなければならず、ネットワーク、特にＭＭＥは、非接続ＭＴＣデバイスをページングできなければならない。
【０２７２】
前記の目的のために、非接続ＭＴＣデバイスは、割り当てられたグループＩＤ及びＧｒＭＴＣ＿ＩＤについて気付いていなければならない。ＭＴＣデバイスは、最後に実行された接続手順中に割り当てられたＧｒＭＴＣ＿ＩＤ及びグループＩＤを記憶してもよい。この情報は、ＭＴＣデバイスがオフになった場合に保持されるようにＭＴＣデバイス内の不揮発性メモリに記憶することができる。これにより、ＭＴＣデバイスは接続されていないが、ネットワーク、例えば、ＭＭＥはこの情報を記憶しなければならない。
【０２７３】
ＭＭＥ及びＭＴＣデバイスは、接続手順中にこの情報を記憶するためのそれぞれの能力に関する情報を交換することができる。例えば、ＭＴＣデバイスは、ＧｒＭＴＣ＿ＩＤ及びグループＩＤを不揮発性メモリに記憶できるというＭＭＥに対する指示を初期接続ＮＡＳメッセージに含めることができる。更に、ＭＴＣデバイスは、デタッチされ、登録されていない間に、対応するページング発生をモニターするためのその能力に関する情報を含む可能性もある。その場合、ＭＭＥは、ＭＴＣデバイスがネットワークからデタッチされた後にＭＴＣデバイスのコンテキストを削除しないが、その代わりにそれを記憶したまま保持し、必要であれば、非接続ＭＴＣデバイスをページングするものと推測する。
【０２７４】
ＭＴＣデバイスがＧｒＭＴＣ＿ＩＤを不揮発性メモリに記憶できない場合、代わって、ＧｒＭＴＣ＿ＩＤを記憶できないすべてのＭＴＣデバイスについて事前定義のグループ・ページング発生を指定することは可能である。ＭＴＣデバイスは、事前定義のグループ・ページング発生に関する情報で事前構成され、それに応じてページング発生をモニターしなければならない。事前定義のグループ・ページング発生を計算するために、ＭＴＣデバイスは事前定義のＧｒＭＴＣ＿ＩＤを使用し、前記の点について必要なその他のパラメータＴ及びｎＢは、無線ネットワークでブロードキャストされたＳＩＢ情報から得られる。ＭＭＥは、ブロードキャストされたＳＩＢ情報を把握し、それに対応するページング・メッセージを生成して、ｅＮＢ（複数も可）に送信することができる。グループＩＤは最後の接続手順中に不揮発性メモリ内に事前構成するか又はそこに記憶しなければならず、従って、ＭＴＣデバイスは事前定義ページング発生でページングを検出する時に対応するアクションを導出することができる。
【０２７５】
ＩＤＬＥ  ＭＴＣデバイスに関する上記の各実施形態について提示された考え方は、デタッチされたＭＴＣデバイスにも適用される。例えば、デタッチされたＭＴＣデバイスは、事前構成のページング発生及び／又はそれ自身のＩＭＳＩ（ＩＭＳＩ  ｍｏｄ  １０２４）に基づくページング発生を聴取してもよい。更に、ネットワークがデタッチされたＭＴＣデバイスをページングして接続手順をトリガすることを希望する場合、ネットワークはページング・メッセージのＵＥページングＩＤフィールド内の個別ＩＭＳＩを使用する。ネットワークがＭＴＣデバイスをページングしてネットワーク・アクセス制限パラメータ（又はその他のパラメータ）についてＭＴＣデバイスに通知することを希望する場合、ＭＭＥはページング・メッセージのＵＥページングＩＤフィールド内に対応する疑似ＩＭＳＩ／Ｓ−ＴＭＳＩ（グループＩＤを含む）を含める。
【０２７６】
上記の背景技術の項に示した説明は、本明細書に記載されている特定の代表的な各実施形態を更に理解するためのものであり、モバイル通信ネットワークにおけるプロセス及び機能について記載されている特定の実装例に本発明を制限するものとして理解してはならない。それにもかかわらず、本明細書で提案されている改良策は、背景技術の項に記載されているアーキテクチャ／システムで容易に適用することができ、本発明のいくつかの実施形態では、これらのアーキテクチャ／システムの標準的な手順及び改良された手順を使用することもできる。当業者であれば、広く記載されている本発明の精神又は範囲を逸脱せずに、特定の各実施形態に示されている本発明に対して多数の変形及び／又は変更が可能であることを認識する。
【０２７７】
本発明の他の実施形態は、ハードウェア及びソフトウェアを使用する上記の様々な実施形態の実現に関するものである。本発明の様々な実施形態がコンピューティング・デバイス（プロセッサ）を使用して実装又は実行できることが認識されている。コンピューティング・デバイス又はプロセッサは、例えば、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、又はその他のプログラマブル論理デバイスなどにすることができる。また、本発明の様々な実施形態は、これらのデバイスの組み合わせによって実行又は実施することもできる。
【０２７８】
更に、本発明の様々な実施形態は、プロセッサによって実行されるか又は直接、ハードウェア内にある、ソフトウェア・モジュールにより実現することもできる。また、ソフトウェア・モジュールとハードウェア実現例との組み合わせも可能である。ソフトウェア・モジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに記憶することができる。
【図１】
2013524563.tif 000016
【図２】
2013524563.tif 000017
【図３】
2013524563.tif 000018
【図４】
2013524563.tif 000019
【図５】
2013524563.tif 000020
【図６】
2013524563.tif 000021
【図７】
2013524563.tif 000022
【図８】
2013524563.tif 000023
【図９】
2013524563.tif 000024
【図１０】
2013524563.tif 000025
【図１１】
2013524563.tif 000026
【図１２】
2013524563.tif 000027
【図１３】
2013524563.tif 000028
【図１４】
2013524563.tif 000029
【図１５】
2013524563.tif 000030
【図１６】
2013524563.tif 000031
【図１７】
2013524563.tif 000032
【図１８】
2013524563.tif 000033
【図１９】
2013524563.tif 000034
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
ネットワーク内の少なくとも１つの無線制御エンティティに接続した第１のグループのデバイスをページングするための前記ネットワーク内のページング・エンティティであって、グループ・ページング・ターゲットＩＤ及びグループ・ページング・リソース指示が前記ページング・エンティティによって前記第１のグループのすべてのデバイスに割り当てられ、前記ページング・エンティティが、
グループ・ページング・ターゲットＩＤ及びグループ・ページング・リソース指示を前記第１のグループのすべてのデバイスに割り当てるための手段と、
前記グループ・ページング・ターゲットＩＤ及び前記グループ・ページング・リソース指示を含む第１のページング・メッセージを前記少なくとも１つの無線制御エンティティに送信するように適合された送信機とを備え、
前記グループ・ページング・リソース指示は、前記第１のグループの前記デバイスによって受信される第２のページング・メッセージを無線チャネル上で送信するための前記無線チャネル上の送信リソースを計算するために前記無線制御エンティティによって使用されるページング・エンティティ。
【請求項２】
前記割り当て手段が、前記第１のグループ、第２のグループ、及び第３のグループのデバイスに第２のグループ・ページング・ターゲットＩＤを割り当てるように更に適合され、
前記割り当て手段が、前記第２のグループの前記デバイスに第２のグループ・ページング・リソース指示を割り当てるように更に適合され、前記第２のグループ・ページング・リソース指示は、ページング・メッセージを受信するための前記無線チャネル・リソースを計算するために前記第２のグループの前記デバイスによって使用され、
プロセッサが、前記第１のグループの前記デバイスのために送信された前記第２のページング・メッセージの再送信が前記第２のグループの前記デバイスによって受信されるように、前記第２のグループ・ページング・リソース指示を決定するように適合され、
前記割り当て手段が、前記第３のグループの前記デバイスに第３のグループ・ページング・リソース指示を割り当てるように更に適合され、前記第３のグループ・ページング・リソース指示は、ページング・メッセージを受信するための前記無線チャネル・リソースを計算するために前記第３のグループの前記デバイスによって使用され、
前記プロセッサが、前記第１のグループのデバイスのために送信された前記第２のページング・メッセージの２回目の再送信が前記第３のグループの前記デバイスによって受信されるように、前記第３のグループ・ページング・リソース指示を決定するように更に適合され、
前記第３のグループ・ページング・リソース指示は、前記第２のグループ・ページング・リソース指示が前記グループ・ページング・リソース指示と異なるのと同じ量だけ前記第２のグループ・ページング・リソース指示と異なっている請求項１に記載のページング・エンティティ。
【請求項３】
ネットワーク内の少なくとも１つの無線制御エンティティに接続した第１のグループのデバイスに属し、前記ネットワーク内のエンティティによってページングされるデバイスであって、グループ・ページング・ターゲットＩＤ及びグループ・ページング・リソース指示が前記第１のグループのすべてのデバイスに割り当てられ、前記デバイスが、
前記ネットワーク内の前記エンティティから前記グループ・ページング・ターゲットＩＤ及び前記グループ・ページング・リソース指示の前記割り当てを受信するように適合された受信機と、
前記割り当てられたグループ・ページング・リソース指示に基づいて、前記無線制御エンティティがページング・メッセージを送信する前記無線チャネルのリソースを計算するように適合されたプロセッサとを備え、
前記受信機が、前記無線チャネルの前記計算されたリソースで前記無線制御エンティティから前記ページング・メッセージを受信するように更に適合され、前記ページング・メッセージが前記グループ・ページング・ターゲットＩＤを含み、
前記プロセッサが、前記受信したグループ・ページング・ターゲットＩＤを前記割り当てられたグループ・ページング・ターゲットＩＤと突き合わせて、前記ページング・メッセージが前記第１のグループ向けであるかどうかを判断するデバイス。
【請求項４】
前記グループ・ページング・ターゲットＩＤが前記第１のグループの前記デバイスに関するグループ国際移動加入ＩＤの一部であり、前記グループ国際移動加入ＩＤが前記第１のグループの前記デバイスに固有のパラメータを更に含み、前記無線制御エンティティから前記デバイスによって受信された前記ページング・メッセージが前記グループ国際移動加入ＩＤを含み、前記プロセッサが、前記グループ国際移動加入ＩＤ内にコード化された前記パラメータを抽出するように更に適合された請求項３に記載のデバイス。
【請求項５】
前記プロセッサが、前記グループ国際移動加入ＩＤ内に含まれる前記パラメータに基づいて、前記グループ国際移動加入ＩＤ内に含まれる前記パラメータを採用すべきかどうか又はアイドル状態から接続状態に遷移すべきかどうかを判断するように更に適合された請求項４に記載のデバイス。
【請求項６】
ネットワーク内の少なくとも１つの無線制御エンティティ（ｅＮＢ）に接続した第１のグループのデバイスをページングするための方法であって、グループ・ページング・ターゲットＩＤ及びグループ・ページング・リソース指示が前記第１のグループのすべてのデバイスに割り当てられ、前記方法が、
前記グループ・ページング・ターゲットＩＤ及び前記グループ・ページング・リソース指示を含む第１のページング・メッセージを前記ネットワーク内のエンティティから前記少なくとも１つの無線制御エンティティに送信するステップと、
前記少なくとも１つの無線制御エンティティが、前記受信したグループ・ページング・リソース指示に基づいて無線チャネル上の送信リソースを計算するステップと、
前記少なくとも１つの無線制御エンティティが、前記無線チャネルの前記計算された送信リソースで、前記グループ・ページング・ターゲットＩＤを含む第２のページング・メッセージを送信するステップと、
前記第１のグループの前記デバイスが、前記無線チャネルの前記計算された送信リソースで前記第２のページング・メッセージを受信するステップとを、
有する方法。
【請求項７】
前記少なくとも１つの無線制御エンティティに接続した第２のグループのデバイスがページングされ、
前記グループ・ページング・ターゲットＩＤを前記第２のグループの前記デバイスに割り当てるステップと、
前記第１のグループのデバイスのために送信された前記第２のページング・メッセージの再送信が前記第２のグループの前記デバイスによって受信されるように決定される第２のグループ・ページング・リソース指示を、ページング・メッセージを受信するための前記無線チャネル・リソースを計算するために前記第２のグループの前記デバイスによって使用される前記第２のグループの前記デバイスに割り当てるステップとを、
有する請求項６に記載の方法。
【請求項８】
前記無線制御エンティティが、サイクル・パラメータであって、前記第１のグループのデバイスの前記グループ・ページング・リソース指示と前記第２のグループのデバイスの前記第２のグループ・ページング・リソース指示との差に相当する前記サイクル・パラメータに基づいて前記第２のページング・メッセージの再送信を実行する請求項７に記載の方法。
【請求項９】
前記第２のグループの前記デバイスがページング・メッセージを受信するための前記無線チャネル・リソースを計算するために、前記無線制御エンティティによって使用される前記サイクル・パラメータの量の２倍である第２のサイクル・パラメータを使用する請求項８に記載の方法。
【請求項１０】
前記少なくとも１つの無線制御エンティティに接続した少なくとも第２及び第３のグループのデバイスがページングされ、
第２のグループ・ページング・ターゲットＩＤを前記第１のグループ、第２のグループ、及び第３のグループの前記デバイスに割り当てるステップと、
前記第１のグループのデバイスのために送信された前記第２のページング・メッセージの再送信が前記第２のグループの前記デバイスによって受信されるように決定される第２のグループ・ページング・リソース指示を、ページング・メッセージを受信するための前記無線チャネル・リソースを計算するために前記第２のグループの前記デバイスによって使用される前記第２のグループの前記デバイスに割り当てるステップと、
前記第１のグループのデバイスのために送信された前記第２のページング・メッセージの２回目の再送信が前記第３のグループの前記デバイスによって受信されるように決定される第３のグループ・ページング・リソース指示を、ページング・メッセージを受信するための前記無線チャネル・リソースを計算するために前記第３のグループの前記デバイスによって使用される前記第３のグループの前記デバイスに割り当てるステップとを有し、
前記第３のグループ・ページング・リソース指示が、前記第２のグループ・ページング・リソース指示が前記グループ・ページング・リソース指示と異なるのと同じ量だけ前記第２のグループ・ページング・リソース指示と異なっており、
前記第１、第２、及び第３のグループの前記デバイスが、ページング・メッセージを受信するための前記無線チャネル・リソースを計算するために、前記無線制御エンティティによって使用される前記サイクル・パラメータの量の３倍である第２のサイクル・パラメータを使用する請求項６に記載の方法。
【請求項１１】
前記グループ・ページング・ターゲットＩＤが前記第１のグループの前記デバイスに関するグループ国際移動加入ＩＤの一部であり、前記グループ国際移動加入ＩＤが前記第１のグループの前記デバイスに固有のパラメータを更に含み、前記パラメータが、好ましくは、前記第１のグループの前記デバイスに関する前記ネットワークへのアクセス制限を示す請求項６から１０のいずれか１つに記載の方法。
【請求項１２】
前記グループ国際移動加入ＩＤ内の前記パラメータが、前記ネットワークに接続するよう前記第１のグループの前記デバイスに指示するページング・メッセージを受信した後に前記第１のグループの前記デバイスが前記ネットワークへの前記接続を延期しなければならない時間を示す請求項１１に記載の方法。
【請求項１３】
前記第１のグループの前記デバイスが、前記グループ・ページング・ターゲットＩＤ内に含まれる前記グループＩＤに基づいて、前記第２のページング・メッセージが前記第１のグループのデバイス向けであるかどうかを判断するステップと、
前記第１のグループの前記デバイスが、前記グループ国際移動加入ＩＤ内に含まれる前記パラメータに基づいて、前記グループ・ページング・ターゲットＩＤ内に含まれる前記パラメータを採用すべきかどうか又はアイドル状態から接続状態に遷移すべきかどうかを判断するステップとを、
更に有する請求項１２に記載の方法。
【請求項１４】
異なる国際移動加入者ＩＤがそれぞれのデバイスに割り当てられ、
前記第１のグループのそれぞれのデバイスが、前記第１のグループの前記グループ・ページング・リソース指示に基づいて及び／又は前記国際移動加入者ＩＤに基づいて、ページング・メッセージを受信するための無線チャネル・リソースを計算するステップを有する請求項６から１３のいずれか１つに記載の方法。
【請求項１５】
１つのデバイスが２つの異なるグループ・ページング・ターゲットＩＤによって識別される少なくとも２つの異なるデバイスのグループに属し、前記デバイスには前記２つの異なるグループ・ページング・ターゲットＩＤのうちの１つが割り当てられる請求項６から１４のいずれか１つに記載の方法。
【国際調査報告】
2013524563.tif 000035
2013524563.tif 000036
2013524563.tif 000037
2013524563.tif 000038
2013524563.tif 000039